(57)【特許請求の範囲】
【請求項１】
ユーザ機器（ＵＥ）によるワイヤレス通信のための方法であって、
サービング基地局から、干渉基地局が別の局に対する干渉を低減しようとしてダウンリンク送信を制限する１つまたは複数の特別なダウンリンクサブフレームでダウンリンクリソースの割当てを受信することと、
前記サービング基地局から、前記特別なダウンリンクサブフレームに限定されない１つまたは複数のダウンリンクサブフレームでアップリンクリソースの割当てを受信することと、
前記サービング基地局に対して、前記割り当てられたアップリンクリソースを使用して送信することと
を備える方法。
【請求項２】
前記１つまたは複数の特別なサブフレームは、前記干渉基地局が前記別の基地局に対する干渉を低減するためにダウンリンク送信を制限する１つまたは複数の特別なサブフレームを備える、請求項１に記載の方法。
【請求項３】
前記干渉基地局が前記別の基地局に対する干渉を低減するために前記ダウンリンク送信を制限する前記１つまたは複数の特別なサブフレームは、オールモストブランクサブフレーム（ＡＢＳ）を備える、請求項２に記載の方法。
【請求項４】
前記サービング基地局は、第１の電力クラスの基地局を備え、
前記干渉基地局は、第２の電力クラスの基地局を備える、請求項１に記載の方法。
【請求項５】
前記サービング基地局は、ピコセル基地局を備え、
前記干渉基地局は、マクロセル基地局を備える、請求項４に記載の方法。
【請求項６】
前記アップリンクリソースの前記割当てを受信することは、物理ダウンリンク制御チャネル（ＰＤＣＣＨ）でアップリンクリソースの前記割当てを受信することを含み、
前記方法は、前記ＰＤＣＣＨを復号するときに前記干渉基地局から送信された信号を消去するために干渉消去（ＩＣ）を実行することをさらに備える、請求項１に記載の方法。
【請求項７】
前記物理ダウンリンク制御チャネル（ＰＤＣＣＨ）のためにＩＣを実行する前記ＵＥの能力を前記サービング基地局にシグナリングすること
をさらに備える、請求項６に記載の方法。
【請求項８】
前記ＰＤＣＣＨ  ＩＣが実行された後に前記ＰＤＣＣＨのチャネル状態を前記サービング基地局に報告することをさらに備える、請求項７に記載の方法。
【請求項９】
前記ＰＤＣＣＨ  ＩＣが実行された後に前記ＰＤＣＣＨのチャネル状態に基づいて、前記特別なサブフレームとは異なる前記ダウンリンクサブフレームのうちの１つまたは複数で１つまたは複数の無線リンク測定を実行することと、
前記１つまたは複数の無線リンク測定を前記サービング基地局に報告することと
をさらに備える、請求項７に記載の方法。
【請求項１０】
前記サービング基地局から、前記干渉基地局が前記サービング基地局からのダウンリンク送信への干渉を低減するためにダウンリンク送信を制限する特別なダウンリンクサブフレームで前記アップリンクリソースの前記割当てを受信すること
をさらに備える、請求項１に記載の方法。
【請求項１１】
前記割当ては、２つ以上のアップリンクサブフレームにわたって前記アップリンクリソースを割り当てる、請求項１０に記載の方法。
【請求項１２】
前記割当ては、１つまたは複数のそれぞれの設定可能なオフセットによって前記特別なダウンリンクサブフレームからオフセットされた１つまたは複数のアップリンクサブフレームで前記アップリンクリソースを割り当てる、請求項１１に記載の方法。
【請求項１３】
前記１つまたは複数のそれぞれの設定可能なオフセットは、前記割当てとともに伝えられる、請求項１２に記載の方法。
【請求項１４】
前記干渉基地局からの送信への干渉を回避するように構成されたリソースを使用して、拡張物理ダウンリンク制御チャネル（Ｅ−ＰＤＣＣＨ）で前記アップリンクリソースの前記割当ては伝えられる、請求項１に記載の方法。
【請求項１５】
基地局間の周波数領域リソース区分を使用して干渉を回避するように選択されたリソースを使用して、前記Ｅ−ＰＤＣＣＨは送信される、請求項１４に記載の方法。
【請求項１６】
アップリンクリソースの前記割当てを受信することは、周波数領域で前記サービング基地局と干渉基地局との間で割り振られたダウンリンクリソースからの、前記サービング基地局のために割り振られたダウンリンクリソースを介してアップリンクリソースの前記割当てを受信することを含む、請求項１に記載の方法。
【請求項１７】
前記周波数領域で前記サービング基地局と干渉基地局との間で割り振られた前記ダウンリンクリソースは、ＰＤＳＣＨのリソースを含み、
前記サービング基地局のために割り振られたダウンリンクリソースを介して前記アップリンクリソースの前記割当てを受信することは、前記サービング基地局のために割り振られたリソースを介してＥ−ＰＤＣＣＨでアップリンクリソースの前記割当てを受信することを含む、請求項１６に記載の方法。
【請求項１８】
ワイヤレス通信のための装置であって、
サービング基地局から、干渉基地局が別の局に対する干渉を低減しようとしてダウンリンク送信を制限する１つまたは複数の特別なダウンリンクサブフレームでダウンリンクリソースの割当てを受信するための手段と、
前記サービング基地局から、前記特別なダウンリンクサブフレームに限定されない１つまたは複数のダウンリンクサブフレームでアップリンクリソースの割当てを受信するための手段と、
前記サービング基地局に対して、前記割り当てられたアップリンクリソースを使用して送信するための手段と
を備える装置。
【請求項１９】
前記１つまたは複数の特別なサブフレームは、前記干渉基地局が前記別の基地局に対する干渉を低減するために前記ダウンリンク送信を制限するオールモストブランクサブフレーム（ＡＢＳ）を備える、請求項１８に記載の装置。
【請求項２０】
ワイヤレス通信のための装置であって、
サービング基地局から、干渉基地局が別の局に対する干渉を低減しようとしてダウンリンク送信を制限する１つまたは複数の特別なダウンリンクサブフレームでダウンリンクリソースの割当てを受信することと、
前記サービング基地局から、前記特別なダウンリンクサブフレームに限定されない１つまたは複数のダウンリンクサブフレームでアップリンクリソースの割当てを受信することと、
前記サービング基地局に対して、前記割り当てられたアップリンクリソースを使用して送信することと
を行うように構成された少なくとも１つのプロセッサと、
前記少なくとも１つのプロセッサに結合されたメモリと
を備える装置。
【請求項２１】
前記１つまたは複数の特別なサブフレームは、前記干渉基地局が前記別の基地局に対する干渉を低減するために前記ダウンリンク送信を制限するオールモストブランクサブフレーム（ＡＢＳ）を備える、請求項２０に記載の装置。
【請求項２２】
サービング基地局から、干渉基地局が別の局に対する干渉を低減しようとしてダウンリンク送信を制限する１つまたは複数の特別なダウンリンクサブフレームでダウンリンクリソースの割当てを受信することと、
前記サービング基地局から、前記特別なダウンリンクサブフレームに限定されない１つまたは複数のダウンリンクサブフレームでアップリンクリソースの割当てを受信することと、
前記サービング基地局に対して、前記割り当てられたアップリンクリソースを使用して送信することと
を行うための命令を備えるワイヤレス通信のためのコンピュータ可読記憶媒体。
【請求項２３】
前記１つまたは複数の特別なサブフレームは、前記干渉基地局が前記別の基地局に対する干渉を低減するために前記ダウンリンク送信を制限するオールモストブランクサブフレーム（ＡＢＳ）を備える、請求項２２に記載のコンピュータ可読記憶媒体。
【請求項２４】
サービング基地局によるワイヤレス通信のための方法であって、
前記サービング基地局から、干渉基地局が別の局に対する干渉を低減しようとしてダウンリンク送信を制限する１つまたは複数の特別なサブフレームでダウンリンクリソースの割当てを送信することと、
前記サービング基地局から、前記特別なダウンリンクサブフレームに限定されない１つまたは複数のダウンリンクサブフレームでアップリンクリソースの割当てを送信することと、
前記サービング基地局において、前記割り当てられたアップリンクリソースを使用して受信することと
を備える方法。
【請求項２５】
前記１つまたは複数の特別なサブフレームは、前記干渉基地局が前記別の基地局に対する干渉を低減するために前記ダウンリンク送信を制限するオールモストブランクサブフレーム（ＡＢＳ）を備える、請求項２４に記載の方法。
【請求項２６】
前記アップリンクリソースの前記割当ては、前記干渉基地局によってサービスされ、前記サービング基地局に対してアップリンク干渉を引き起こし得る１つまたは複数のユーザ機器に対してアップリンクリソースとして前記干渉基地局が割り当てることのない１つまたは複数のサブフレームを示すビットマップに基づく、請求項２４に記載の方法。
【請求項２７】
前記サービング基地局は、第１の電力クラスの基地局を備え、
前記干渉基地局は、第２の電力クラスの基地局を備える、請求項２４に記載の方法。
【請求項２８】
前記サービング基地局は、ピコセル基地局を備え、
前記干渉基地局は、マクロセル基地局を備える、請求項２７に記載の方法。
【請求項２９】
前記アップリンクリソースの前記割当てを送信することは、物理ダウンリンク制御チャネル（ＰＤＣＣＨ）でアップリンクリソースの前記割当てを送信することを含み、
前記サービング基地局によってサービスされるユーザ機器（ＵＥ）は、前記ＰＤＣＣＨを復号するときに前記干渉基地局から送信された信号を消去するために干渉消去（ＩＣ）を実行する、請求項２４に記載の方法。
【請求項３０】
前記サービング基地局において、前記物理ダウンリンク制御チャネル（ＰＤＣＣＨ）のためにＩＣを実行する前記ＵＥの能力のシグナリングを受信すること
をさらに備える、請求項２９に記載の方法。
【請求項３１】
前記ＵＥによって前記ＰＤＣＣＨ  ＩＣが実行された後に前記ＰＤＣＣＨのチャネル状態に関する報告を前記ＵＥから受信することをさらに備える、請求項３０に記載の方法。
【請求項３２】
前記ＵＥから１つまたは複数の無線リンク測定を受信することをさらに備え、前記ＵＥが、前記ＰＤＣＣＨ  ＩＣが実行された後に前記ＰＤＣＣＨのチャネル状態に基づいて、前記１つまたは複数の特別なサブフレームとは異なる前記ダウンリンクサブフレームのうちの１つまたは複数で前記１つまたは複数の無線リンク測定を実行する、請求項３０に記載の方法。
【請求項３３】
前記干渉基地局が前記サービング基地局からのダウンリンク送信への干渉を低減するためにダウンリンク送信を制限する特別なダウンリンクサブフレームで前記アップリンクリソースの前記割当てを送信すること
をさらに備える、請求項２４に記載の方法。
【請求項３４】
前記割当ては、２つ以上のアップリンクサブフレームにわたって前記アップリンクリソースを割り当てる、請求項３３に記載の方法。
【請求項３５】
前記割当ては、１つまたは複数のそれぞれの設定可能なオフセットによって前記特別なダウンリンクサブフレームからオフセットされた１つまたは複数のアップリンクサブフレームで前記アップリンクリソースを割り当てる、請求項３４に記載の方法。
【請求項３６】
前記１つまたは複数のそれぞれの設定可能なオフセットは、前記割当てとともに伝えられる、請求項３５に記載の方法。
【請求項３７】
前記干渉基地局からの送信への干渉を回避するように構成されたリソースを使用して、拡張物理ダウンリンク制御チャネル（Ｅ−ＰＤＣＣＨ）で前記アップリンクリソースの前記割当ては伝えられる、請求項２４に記載の方法。
【請求項３８】
基地局間の周波数領域リソース区分を使用して干渉を回避するように選択されたリソースを使用して、前記Ｅ−ＰＤＣＣＨは送信される、請求項３７に記載の方法。
【請求項３９】
アップリンクリソースの前記割当てを送信することは、周波数領域で前記サービング基地局と干渉基地局との間で割り振られたダウンリンクリソースからの、前記サービング基地局のために割り振られたダウンリンクリソースを介してアップリンクリソースの前記割当てを送信することを含む、請求項２４に記載の方法。
【請求項４０】
前記周波数領域で前記サービング基地局と干渉基地局との間で割り振られた前記ダウンリンクリソースは、ＰＤＳＣＨのリソースを含み、
前記サービング基地局のために割り振られたダウンリンクリソースを介してアップリンクリソースの前記割当てを送信することは、前記サービング基地局のために割り振られたリソースを介してＥ−ＰＤＣＣＨでアップリンクリソースの前記割当てを送信することを含む、請求項３９に記載の方法。
【請求項４１】
前記サービング基地局によって、前記干渉基地局によってサービスされる１つまたは複数のユーザ機器（ＵＥ）を検出することであって、そのアップリンク（ＵＬ）送信が、前記サービング基地局によってサービスされる１つまたは複数の他のＵＥからのＵＬ送信に干渉し得る、ことと、
前記検出されたＵＥの指示を前記干渉基地局に送ることと
をさらに備える、請求項２４に記載の方法。
【請求項４２】
前記干渉基地局によってサービスされる１つまたは複数のＵＥに関するサウンディング基準信号（ＳＲＳ）構成情報を受信すること
をさらに備える、請求項４１に記載の方法。
【請求項４３】
前記１つまたは複数のＵＥを検出することは、前記ＳＲＳ構成情報に基づいて、前記１つまたは複数のＵＥから送信された基準信号（ＲＳ）を検出することを備える、請求項４２に記載の方法。
【請求項４４】
前記１つまたは複数のＵＥを検出することは、前記１つまたは複数のＵＥから送信された基準信号（ＲＳ）を検出することを備える、請求項４１に記載の方法。
【請求項４５】
前記指示は、前記干渉ＢＳとサービングＢＳとの間のバックホールリンクを介して送信される、請求項４４に記載の方法。
【請求項４６】
前記干渉基地局から、前記１つまたは複数のＵＥによるアップリンク送信のために予約されたリソースの指示を受信すること
をさらに備える、請求項４１に記載の方法。
【請求項４７】
前記サービング基地局と前記サービング基地局によってサービスされる前記１つまたは複数の他のＵＥとの間の通信のために、前記予約されたリソースを割り振らないことをさらに備える、請求項４６に記載の方法。
【請求項４８】
前記予約されたリソースは、前記サービング基地局による使用のために割り振られたリソースから、時間領域または周波数領域のうちの少なくとも１つで区分されたリソースを備える、請求項４６に記載の方法。
【請求項４９】
前記サービング基地局によってサービスされる１つまたは複数のＵＥからのロードの指示を前記干渉基地局に提供すること
をさらに備える、請求項４１に記載の方法。
【請求項５０】
ワイヤレス通信のための装置であって、
サービング基地局から、干渉基地局が別の局に対する干渉を低減しようとしてダウンリンク送信を制限する１つまたは複数の特別なサブフレームでダウンリンクリソースの割当てを送信するための手段と、
前記サービング基地局から、前記特別なダウンリンクサブフレームに限定されない１つまたは複数のダウンリンクサブフレームでアップリンクリソースの割当てを送信するための手段と、
前記サービング基地局において、前記割り当てられたアップリンクリソースを使用して受信するための手段と
を備える装置。
【請求項５１】
前記１つまたは複数の特別なサブフレームは、前記干渉基地局が前記別の基地局に対する干渉を低減するために前記ダウンリンク送信を制限するオールモストブランクサブフレーム（ＡＢＳ）を備える、請求項５０に記載の装置。
【請求項５２】
ワイヤレス通信のための装置であって、
サービング基地局から、干渉基地局が別の局に対する干渉を低減しようとしてダウンリンク送信を制限する１つまたは複数の特別なサブフレームでダウンリンクリソースの割当てを送信することと、
前記サービング基地局から、前記特別なダウンリンクサブフレームに限定されない１つまたは複数のダウンリンクサブフレームでアップリンクリソースの割当てを送信することと、
前記サービング基地局において、前記割り当てられたアップリンクリソースを使用して受信することと
を行うように構成された少なくとも１つのプロセッサと、
前記少なくとも１つのプロセッサに結合されたメモリと
を備える装置。
【請求項５３】
前記１つまたは複数の特別なサブフレームは、前記干渉基地局が前記別の基地局に対する干渉を低減するために前記ダウンリンク送信を制限するオールモストブランクサブフレーム（ＡＢＳ）を備える、請求項５２に記載の装置。
【請求項５４】
サービング基地局から、干渉基地局が別の局に対する干渉を低減しようとしてダウンリンク送信を制限する１つまたは複数の特別なサブフレームでダウンリンクリソースの割当てを送信することと、
前記サービング基地局から、前記特別なダウンリンクサブフレームに限定されない１つまたは複数のダウンリンクサブフレームでアップリンクリソースの割当てを送信することと、
前記サービング基地局において、前記割り当てられたアップリンクリソースを使用して受信することと
を行うための命令を備えるワイヤレス通信のためのコンピュータ可読記憶媒体。
【請求項５５】
前記１つまたは複数の特別なサブフレームは、前記干渉基地局が前記別の基地局に対する干渉を低減するために前記ダウンリンク送信を制限するオールモストブランクサブフレーム（ＡＢＳ）を備える、請求項５４に記載のコンピュータ可読記憶媒体。
【発明の詳細な説明】
【技術分野】
【０００１】
[0001]  本特許出願は、本出願の譲受人に譲渡され、参照により本明細書に明確に組み込まれる、２０１１年１１月１４日に出願された「ＭＥＴＨＯＤＳ  ＡＮＤ  ＡＰＰＡＲＡＴＵＳ  ＦＯＲ  ＨＡＮＤＬＩＮＧ  ＵＰＬＩＮＫ  ＩＮＴＥＲＦＥＲＥＮＣＥ  ＩＮ  Ａ  ＨＥＴＥＲＯＧＥＮＥＯＵＳ  ＮＥＴＷＯＲＫ」と題する米国仮出願第６１／５５９，３４３号および２０１１年１２月２１日に出願された「ＭＥＴＨＯＤＳ  ＡＮＤ  ＡＰＰＡＲＡＴＵＳ  ＦＯＲ  ＤＥＣＯＵＰＬＩＮＧ  ＤＯＷＮＬＩＮＫ  ＡＮＤ  ＵＰＬＩＮＫ  ＲＥＳＯＵＲＣＥ  ＰＡＲＴＩＴＩＯＮＩＮＧ  ＩＮ  ＨＥＴＥＲＯＧＥＮＥＯＵＳ  ＮＥＴＷＯＲＫＳ」と題する米国仮出願第６１／５７８，７８３号の優先権を主張する。
【０００２】
[0002]  本開示のいくつかの態様は、一般にワイヤレス通信に関し、より詳細には、異種ネットワークにおける干渉を低減するための方法および装置に関する。
【背景技術】
【０００３】
[0003]  ワイヤレス通信ネットワークは、音声、ビデオ、パケットデータ、メッセージング、ブロードキャストなどのような様々な通信サービスを提供するために広く展開されている。これらのワイヤレスネットワークは、利用可能なネットワークリソースを共有することによって複数のユーザをサポートすることが可能な多元接続ネットワークとすることができる。そのような多元接続ネットワークの例には、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]  ワイヤレス通信ネットワークは、いくつかのユーザ機器（ＵＥ）のための通信をサポートすることができるいくつかの基地局を含み得る。ＵＥは、ダウンリンクおよびアップリンクを介して基地局と通信し得る。ダウンリンク（または順方向リンク）は、基地局からＵＥへの通信リンクを指し、アップリンク（または逆方向リンク）は、ＵＥから基地局への通信リンクを指す。
【０００５】
[0005]  基地局は、ＵＥにダウンリンク上でデータと制御情報とを送信することができ、かつ／またはＵＥからアップリンク上でデータと制御情報とを受信することができる。ダウンリンク上では、基地局からの送信は、１つまたは複数のネイバー基地局からの送信による干渉を観測することがある。アップリンク上では、ＵＥからの送信は、１つまたは複数のネイバー基地局と通信する１つまたは複数の他のＵＥからの送信に対して干渉を引き起こす可能性がある。干渉は、ダウンリンクとアップリンクの両方でパフォーマンスを劣化させることがある。
【発明の概要】
【０００６】
[0006]  本開示のいくつかの態様は、ユーザ機器（ＵＥ）によるワイヤレス通信のための方法を提供する。本方法は概して、サービング基地局から、干渉基地局が別の局に対する干渉を低減しようとしてダウンリンク送信を制限する１つまたは複数の特別なダウンリンクサブフレームでダウンリンクリソースの割当てを受信することと、サービング基地局から、特別なダウンリンクサブフレームに限定されない１つまたは複数のダウンリンクサブフレームでアップリンクリソースの割当てを受信することと、サービング基地局に対して、割り当てられたアップリンクリソースを使用して送信することとを含む。
【０００７】
[0007]  本開示のいくつかの態様は、ワイヤレス通信のための装置を提供する。本装置は概して、サービング基地局から、干渉基地局が別の局に対する干渉を低減しようとしてダウンリンク送信を制限する１つまたは複数の特別なダウンリンクサブフレームでダウンリンクリソースの割当てを受信するための手段と、サービング基地局から、特別なダウンリンクサブフレームに限定されない１つまたは複数のダウンリンクサブフレームでアップリンクリソースの割当てを受信するための手段と、サービング基地局に対して、割り当てられたアップリンクリソースを使用して送信するための手段とを含む。
【０００８】
[0008]  本開示のいくつかの態様は、ワイヤレス通信のための装置を提供する。本装置は概して、少なくとも１つのプロセッサと、少なくとも１つのプロセッサに結合されたメモリとを含む。本プロセッサは概して、サービング基地局から、干渉基地局が別の局に対する干渉を低減しようとしてダウンリンク送信を制限する１つまたは複数の特別なダウンリンクサブフレームでダウンリンクリソースの割当てを受信することと、サービング基地局から、特別なダウンリンクサブフレームに限定されない１つまたは複数のダウンリンクサブフレームでアップリンクリソースの割当てを受信することと、サービング基地局に対して、割り当てられたアップリンクリソースを使用して送信することとを行うように構成される。
【０００９】
[0009]  本開示のいくつかの態様は、ワイヤレス通信のためのコンピュータプログラム製品を提供する。本コンピュータプログラム製品は概して、サービング基地局から、干渉基地局が別の局に対する干渉を低減しようとしてダウンリンク送信を制限する１つまたは複数の特別なダウンリンクサブフレームでダウンリンクリソースの割当てを受信することと、サービング基地局から、特別なダウンリンクサブフレームに限定されない１つまたは複数のダウンリンクサブフレームでアップリンクリソースの割当てを受信することと、サービング基地局に対して、割り当てられたアップリンクリソースを使用して送信することとを行うための命令を備えるコンピュータ可読媒体を含む。
【００１０】
[0010]  本開示のいくつかの態様は、サービング基地局によるワイヤレス通信のための方法を提供する。本方法は概して、サービング基地局から、干渉基地局が別の局に対する干渉を低減しようとしてダウンリンク送信を制限する１つまたは複数の特別なサブフレームでダウンリンクリソースの割当てを送信することと、サービング基地局から、特別なダウンリンクサブフレームに限定されない１つまたは複数のダウンリンクサブフレームでアップリンクリソースの割当てを送信することと、サービング基地局において、割り当てられたアップリンクリソースを使用して受信することとを含む。
【００１１】
[0011]  本開示のいくつかの態様は、ワイヤレス通信のための装置を提供する。本装置は概して、サービング基地局から、干渉基地局が別の局に対する干渉を低減しようとしてダウンリンク送信を制限する１つまたは複数の特別なサブフレームでダウンリンクリソースの割当てを送信するための手段と、サービング基地局から、特別なダウンリンクサブフレームに限定されない１つまたは複数のダウンリンクサブフレームでアップリンクリソースの割当てを送信するための手段と、サービング基地局において、割り当てられたアップリンクリソースを使用して受信するための手段とを含む。
【００１２】
[0012]  本開示のいくつかの態様は、ワイヤレス通信のための装置を提供する。本装置は概して、少なくとも１つのプロセッサと、少なくとも１つのプロセッサに結合されたメモリとを含む。本プロセッサは概して、サービング基地局から、干渉基地局が別の局に対する干渉を低減しようとしてダウンリンク送信を制限する１つまたは複数の特別なサブフレームでダウンリンクリソースの割当てを送信することと、サービング基地局から、特別なダウンリンクサブフレームに限定されない１つまたは複数のダウンリンクサブフレームでアップリンクリソースの割当てを送信することと、サービング基地局において、割り当てられたアップリンクリソースを使用して受信することとを行うように構成される。
【００１３】
[0013]  本開示のいくつかの態様は、ワイヤレス通信のためのコンピュータプログラム製品を提供する。本コンピュータプログラム製品は概して、サービング基地局から、干渉基地局が別の局に対する干渉を低減しようとしてダウンリンク送信を制限する１つまたは複数の特別なサブフレームでダウンリンクリソースの割当てを送信することと、サービング基地局から、特別なダウンリンクサブフレームに限定されない１つまたは複数のダウンリンクサブフレームでアップリンクリソースの割当てを送信することと、サービング基地局において、割り当てられたアップリンクリソースを使用して受信することとを行うための命令を備えるコンピュータ可読媒体を含む。
【００１４】
[0014]  本開示のいくつかの態様は、干渉基地局によるワイヤレス通信のための方法を提供する。本方法は概して、干渉基地局（ＢＳ）によってサービスされる１つまたは複数のユーザ機器（ＵＥ）のセットを識別することであって、そのアップリンク（ＵＬ）送信が、サービングＢＳによってサービスされる１つまたは複数の他のＵＥからのＵＬ送信に干渉し得る、ことと、１つまたは複数のＵＥのセットによる使用のためにリソースセットを予約することと、予約されたリソースセットをサービングＢＳに通信することとを含む。
【００１５】
[0015]  本開示のいくつかの態様は、ワイヤレス通信のための装置を提供する。本装置は概して、干渉基地局（ＢＳ）によってサービスされる１つまたは複数のユーザ機器（ＵＥ）のセットを識別するための手段であって、そのアップリンク（ＵＬ）送信が、サービングＢＳによってサービスされる１つまたは複数の他のＵＥからのＵＬ送信に干渉し得る、手段と、１つまたは複数のＵＥのセットによる使用のためにリソースセットを予約するための手段と、予約されたリソースセットをサービングＢＳに通信するための手段とを含む。
【００１６】
[0016]  本開示のいくつかの態様は、ワイヤレス通信のための装置を提供する。本装置は概して、少なくとも１つのプロセッサと、少なくとも１つのプロセッサに結合されたメモリとを含む。本プロセッサは概して、干渉基地局（ＢＳ）によってサービスされる１つまたは複数のユーザ機器（ＵＥ）のセットを識別することであって、そのアップリンク（ＵＬ）送信が、サービングＢＳによってサービスされる１つまたは複数の他のＵＥからのＵＬ送信に干渉し得る、ことと、１つまたは複数のＵＥのセットによる使用のためにリソースセットを予約することと、予約されたリソースセットをサービングＢＳに通信することとを行うように構成される。
【００１７】
[0017]  本開示のいくつかの態様は、ワイヤレス通信のためのコンピュータプログラム製品を提供する。本コンピュータプログラム製品は概して、干渉基地局（ＢＳ）によってサービスされる１つまたは複数のユーザ機器（ＵＥ）のセットを識別することであって、そのアップリンク（ＵＬ）送信が、サービングＢＳによってサービスされる１つまたは複数の他のＵＥからのＵＬ送信に干渉し得る、ことと、１つまたは複数のＵＥのセットによる使用のためにリソースセットを予約することと、予約されたリソースセットをサービングＢＳに通信することとを行うための命令を備えるコンピュータ可読媒体を含む。
【００１８】
[0018]  本開示のいくつかの態様は、サービング基地局（ＢＳ）によるワイヤレス通信のための方法を提供する。本方法は概して、干渉ＢＳによってサービスされる１つまたは複数のユーザ機器（ＵＥ）を検出することであって、そのアップリンク（ＵＬ）送信が、サービングＢＳによってサービスされる１つまたは複数の他のＵＥからのＵＬ送信に干渉し得る、ことと、検出された１つまたは複数のＵＥの指示を干渉ＢＳに送ることとを含む。いくつかの態様では、本方法は、干渉ＢＳから、干渉ＢＳによってサービスされる１つまたは複数のＵＥによるＵＬ送信のために予約されたリソースの指示を受信することを含み得る。
【００１９】
[0019]  本開示のいくつかの態様は、ワイヤレス通信のための装置を提供する。  本装置は概して、干渉ＢＳによってサービスされる１つまたは複数のユーザ機器（ＵＥ）を検出するための手段であって、そのアップリンク（ＵＬ）送信が、サービングＢＳによってサービスされる１つまたは複数の他のＵＥからのＵＬ送信に干渉し得る、手段と、検出された１つまたは複数のＵＥの指示を干渉ＢＳに送るための手段とを含む。いくつかの態様では、本装置は、干渉ＢＳから、干渉ＢＳによってサービスされる１つまたは複数のＵＥによるＵＬ送信のために予約されたリソースの指示を受信するための手段を含み得る。
【００２０】
[0020]  本開示のいくつかの態様は、ワイヤレス通信のための装置を提供する。本装置は概して、少なくとも１つのプロセッサと、少なくとも１つのプロセッサに結合されたメモリとを含む。本プロセッサは概して、干渉ＢＳによってサービスされる１つまたは複数のユーザ機器（ＵＥ）を検出することであって、そのアップリンク（ＵＬ）送信が、サービングＢＳによってサービスされる１つまたは複数の他のＵＥからのＵＬ送信に干渉し得る、ことと、検出された１つまたは複数のＵＥの指示を干渉ＢＳに送ることとを行うように構成される。いくつかの態様では、本プロセッサは、干渉ＢＳから、干渉ＢＳによってサービスされる１つまたは複数のＵＥによるＵＬ送信のために予約されたリソースの指示を受信するように構成され得る。
【００２１】
[0021]  本開示のいくつかの態様は、ワイヤレス通信のためのコンピュータプログラム製品を提供する。本コンピュータプログラム製品は概して、干渉ＢＳによってサービスされる１つまたは複数のユーザ機器（ＵＥ）を検出することであって、そのアップリンク（ＵＬ）送信が、サービングＢＳによってサービスされる１つまたは複数の他のＵＥからのＵＬ送信に干渉し得る、ことと、検出された１つまたは複数のＵＥの指示を干渉ＢＳに送ることとを行うための命令を備えるコンピュータ可読媒体を含む。いくつかの態様では、本コンピュータ可読媒体は、干渉ＢＳから、干渉ＢＳによってサービスされる１つまたは複数のＵＥによるＵＬ送信のために予約されたリソースの指示を受信するための命令を含み得る。
【００２２】
[0022]  本開示のいくつかの態様は、ワイヤレス通信のための方法を提供する。本方法は概して、サービング基地局から、アップリンクリソースの割当てを受信することであって、割り当てられたアップリンクリソースが、干渉基地局が別の局に対する干渉を低減しようとしてダウンリンク送信を制限する特別なサブフレームに対する固定時間オフセットを有するリソースに限定されない、ことと、サービング基地局に対して、割り当てられたアップリンクリソースを使用して送信することとを含む。
【００２３】
[0023]  本開示のいくつかの態様は、ワイヤレス通信のための装置を提供する。本装置は概して、サービング基地局から、アップリンクリソースの割当てを受信するための手段であって、割り当てられたアップリンクリソースが、干渉基地局が別の局に対する干渉を低減しようとしてダウンリンク送信を制限する特別なサブフレームに対する固定時間オフセットを有するリソースに限定されない、手段と、サービング基地局に対して、割り当てられたアップリンクリソースを使用して送信するための手段とを含む。
【００２４】
[0024]  本開示のいくつかの態様は、ワイヤレス通信のための装置を提供する。本装置は概して、少なくとも１つのプロセッサと、少なくとも１つのプロセッサに結合されたメモリとを含む。本プロセッサは概して、サービング基地局から、アップリンクリソースの割当てを受信することであって、割り当てられたアップリンクリソースが、干渉基地局が別の局に対する干渉を低減しようとしてダウンリンク送信を制限する特別なサブフレームに対する固定時間オフセットを有するリソースに限定されない、ことと、サービング基地局に対して、割り当てられたアップリンクリソースを使用して送信することとを行うように構成される。
【００２５】
[0025]  本開示のいくつかの態様は、ワイヤレス通信のためのコンピュータプログラム製品を提供する。本コンピュータプログラム製品は概して、サービング基地局から、アップリンクリソースの割当てを受信することであって、割り当てられたアップリンクリソースが、干渉基地局が別の局に対する干渉を低減しようとしてダウンリンク送信を制限する特別なサブフレームに対する固定時間オフセットを有するリソースに限定されない、ことと、サービング基地局に対して、割り当てられたアップリンクリソースを使用して送信することとを行うための命令を備えるコンピュータ可読媒体を含む。
【００２６】
[0026]  本開示のいくつかの態様は、ワイヤレス通信のための方法を提供する。本方法は概して、サービング基地局から、アップリンクリソースの割当てを送信することであって、割り当てられたアップリンクリソースが、干渉基地局が別の局に対する干渉を低減しようとしてダウンリンク送信を制限する特別なサブフレームに対する固定時間オフセットを有するリソースに限定されない、ことと、サービング基地局において、割り当てられたアップリンクリソースを使用して受信することとを含む。
【００２７】
[0027]  本開示のいくつかの態様は、ワイヤレス通信のための装置を提供する。本装置は概して、サービング基地局から、アップリンクリソースの割当てを送信するための手段であって、割り当てられたアップリンクリソースが、干渉基地局が別の局に対する干渉を低減しようとしてダウンリンク送信を制限する特別なサブフレームに対する固定時間オフセットを有するリソースに限定されない、手段と、サービング基地局において、割り当てられたアップリンクリソースを使用して受信するための手段とを含む。
【００２８】
[0028]  本開示のいくつかの態様は、ワイヤレス通信のための装置を提供する。本装置は概して、少なくとも１つのプロセッサと、少なくとも１つのプロセッサに結合されたメモリとを含む。本プロセッサは概して、サービング基地局から、アップリンクリソースの割当てを送信することであって、割り当てられたアップリンクリソースが、干渉基地局が別の局に対する干渉を低減しようとしてダウンリンク送信を制限する特別なサブフレームに対する固定時間オフセットを有するリソースに限定されない、ことと、サービング基地局において、割り当てられたアップリンクリソースを使用して受信することとを行うように構成される。
【００２９】
[0029]  本開示のいくつかの態様は、ワイヤレス通信のためのコンピュータプログラム製品を提供する。本コンピュータプログラム製品は概して、サービング基地局から、アップリンクリソースの割当てを送信することであって、割り当てられたアップリンクリソースが、干渉基地局が別の局に対する干渉を低減しようとしてダウンリンク送信を制限する特別なサブフレームに対する固定時間オフセットを有するリソースに限定されない、ことと、サービング基地局において、割り当てられたアップリンクリソースを使用して受信することとを行うための命令を備えるコンピュータ可読媒体を含む。
【００３０】
[0030]  装置と、システムと、コンピュータプログラム製品とを含む多数の他の態様が提供される。本開示の様々な態様および特徴について以下でさらに詳細に説明する。
【図面の簡単な説明】
【００３１】
【図１】[0031]  本開示のいくつかの態様による、ワイヤレス通信ネットワークの一例を概念的に示すブロック図。
【図２】[0032]  本開示のいくつかの態様による、ワイヤレス通信ネットワークにおけるフレーム構造の一例を概念的に示すブロック図。
【図２Ａ】[0033]  本開示のいくつかの態様による、Ｌｏｎｇ  Ｔｅｒｍ  Ｅｖｏｌｕｔｉｏｎ（ＬＴＥ）におけるアップリンクのための例示的なフォーマットを示す図。
【図３】[0034]  本開示のいくつかの態様による、ワイヤレス通信ネットワークにおけるユーザ機器デバイス（ＵＥ）と通信するノードＢの一例を概念的に示すブロック図。
【図４】[0035]  本開示のいくつかの態様による、例示的な異種ネットワークを示す図。
【図５】[0036]  本開示のいくつかの態様による、異種ネットワークにおける例示的なリソース区分を示す図。
【図６】[0037]  本開示のいくつかの態様による、異種ネットワークにおけるサブフレームの例示的な協働区分を示す図。
【図７】[0038]  本開示のいくつかの態様による、拡張セル間干渉協調（ｅＩＣＩＣ：enhanced inter-cell interference coordination）を用いることが可能な例示的な異種ネットワークを示す図。
【図８】[0039]  本開示のいくつかの態様による、異種ネットワークにおける干渉を低減するためにＵＥによって実行され得る例示的な動作を示す図。
【図９】[0040]  本開示のいくつかの態様による、異種ネットワークにおける干渉を低減するためにサービング基地局によって実行され得る例示的な動作を示す図。
【図１０】[0041]  本開示のいくつかの態様による、ピコセルにＵＬ干渉を引き起こし得る１つまたは複数のマクロＵＥを検出するための例示的な方法を示す図。
【図１１】[0042]  本開示のいくつかの態様による、たとえば、干渉基地局（ＢＳ）によって実行され得る例示的な動作を示す図。
【図１２】[0043]  本開示のいくつかの態様による、たとえば、サービング基地局によって実行され得る例示的な動作を示す図。
【図１３】[0044]  本開示のいくつかの態様による、たとえば、サービング基地局（ＢＳ）によって実行され得る例示的な動作を示す図。
【図１４】[0045]  本開示のいくつかの態様による、異種ネットワークにおけるダウンリンク（ＤＬ）リソース区分とアップリンク（ＵＬ）リソース区分とを分離するためにＵＥによって実行され得る例示的な動作を示す図。
【図１５】[0046]  本開示のいくつかの態様による、異種ネットワークにおけるダウンリンク（ＤＬ）リソース区分とアップリンク（ＵＬ）リソース区分とを分離するためにサービング基地局によって実行され得る例示的な動作を示す図。
【発明を実施するための形態】
【００３２】
[0047]  本明細書で説明する技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークに使用され得る。「ネットワーク」および「システム」という用語は、しばしば互換的に使用される。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装し得る。ＵＴＲＡは、Ｗｉｄｅｂａｎｄ  ＣＤＭＡ（ＷＣＤＭＡ（登録商標））とＣＤＭＡの他の変形態とを含む。ｃｄｍａ２０００は、ＩＳ−２０００、ＩＳ−９５、およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装することができる。ＯＦＤＭＡネットワークは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装することができる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。ｃｄｍａ２０００およびＵＭＢは「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織からの文書に記載されている。本明細書で説明する技法は、上記のワイヤレスネットワークおよび無線技術、ならびに他のワイヤレスネットワークおよび無線技術に使用され得る。明快のために、本技法のいくつかの態様について以下ではＬＴＥに関して説明し、以下の説明の大部分でＬＴＥ用語を使用する。
【００３３】
例示的なワイヤレスネットワーク
[0048]  図１に、ワイヤレス通信ネットワーク１００を示し、これはＬＴＥネットワークであり得る。ワイヤレスネットワーク１００は、いくつかの発展型ノードＢ（ｅＮＢ）１１０と他のネットワークエンティティとを含み得る。ｅＮＢは、ユーザ機器デバイス（ＵＥ）と通信する局であり得、基地局、ノードＢ、アクセスポイントなどと呼ばれることもある。各ｅＮＢ１１０は、特定の地理的エリアに対して通信カバレージを提供することができる。「セル」という用語は、この用語が使用される状況に応じて、ｅＮＢのカバレージエリアおよび／またはこのカバレージエリアにサービスするｅＮＢサブシステムを指すことがある。
【００３４】
[0049]  ｅＮＢは、マクロセル、ピコセル、フェムトセル、および／または他のタイプのセルに通信カバレージを与え得る。マクロセルは、比較的大きい地理的エリア（たとえば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（たとえば、自宅）をカバーし得、フェムトセルとの関連を有するＵＥ（たとえば、限定加入者グループ（ＣＳＧ：Closed Subscriber Group）中のＵＥ、自宅内のユーザのためのＵＥなど）による制限付きアクセスを可能にし得る。マクロセルのためのｅＮＢはマクロｅＮＢと呼ばれることがある。ピコセルのためのｅＮＢはピコｅＮＢと呼ばれることがある。フェムトセルのためのｅＮＢはフェムトｅＮＢまたはホームｅＮＢと呼ばれることがある。図１に示す例では、ｅＮＢ１１０ａ、１１０ｂ、および１１０ｃは、それぞれマクロセル１０２ａ、１０２ｂ、および１０２ｃのためのマクロｅＮＢであり得る。ｅＮＢ１１０ｘは、ピコセル１０２ｘのためのピコｅＮＢであり得る。ｅＮＢ１１０ｙおよび１１０ｚは、それぞれフェムトセル１０２ｙおよび１０２ｚのためのフェムトｅＮＢであり得る。ｅＮＢは、１つまたは複数の（たとえば、３つの）セルをサポートすることができる。
【００３５】
[0050]  ワイヤレスネットワーク１００はまた、中継局を含み得る。中継局は、上流局（たとえば、ｅＮＢまたはＵＥ）からデータおよび／または他の情報の送信を受信し、そのデータおよび／または他の情報の送信を下流局（たとえば、ＵＥまたはｅＮＢ）に送信する局である。中継局はまた、他のＵＥに対する送信を中継するＵＥとすることができる。図１に示す例では、中継局１１０ｒは、ｅＮＢ１１０ａとＵＥ  １２０ｒとの間の通信を容易にするために、ｅＮＢ１１０ａおよびＵＥ１２０ｒと通信し得る。中継局は、リレーｅＮＢ、リレーなどと呼ばれることもある。
【００３６】
[0051]  ワイヤレスネットワーク１００は、様々なタイプのｅＮＢ、たとえば、マクロｅＮＢ、ピコｅＮＢ、フェムトｅＮＢ、リレーなどを含む異種ネットワークであり得る。これらの様々なタイプのｅＮＢは、様々な送信電力レベル、様々なカバレージエリア、およびワイヤレスネットワーク１００中の干渉に対する様々な影響を有し得る。たとえば、マクロｅＮＢは、高い送信電力レベル（たとえば、２０ワット）を有し得るが、ピコｅＮＢ、フェムトｅＮＢ、およびリレーは、より低い送信電力レベル（たとえば、１ワット）を有し得る。
【００３７】
[0052]  ワイヤレスネットワーク１００は、同期動作または非同期動作をサポートし得る。同期動作の場合、ｅＮＢは同様のフレームタイミングを有し得、異なるｅＮＢからの送信は近似的に時間的に整合され得る。非同期動作の場合、ｅＮＢは異なるフレームタイミングを有し得、異なるｅＮＢからの送信は時間的に整合されないことがある。本明細書で説明する技法は、同期動作と非同期動作の両方のために使用され得る。
【００３８】
[0053]  ネットワークコントローラ１３０は、ｅＮＢのセットに結合し、これらのｅＮＢの協調および制御を行い得る。ネットワークコントローラ１３０は、バックホールを介してｅＮＢ１１０と通信し得る。ｅＮＢ１１０はまた、たとえば、直接、またはワイヤレスバックホールもしくは有線バックホールを介して間接的に、互いに通信し得る。
【００３９】
[0054]  ＵＥ１２０は、ワイヤレスネットワーク１００全体にわたって分散され得、各ＵＥは、固定でも移動でもよい。ＵＥは、端末、移動局、加入者ユニット、局などと呼ばれることもある。ＵＥは、セルラー電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、タブレットなどであり得る。ＵＥは、マクロｅＮＢ、ピコｅＮＢ、フェムトｅＮＢ、リレーなどと通信することが可能であり得る。図１において、両矢印付きの実線は、ダウンリンクおよび／またはアップリンク上での、ＵＥと、そのＵＥにサービスするように指定されたｅＮＢであるサービングｅＮＢとの間の所望の送信を示す。両矢印付きの破線は、ＵＥとｅＮＢとの間の干渉送信を示す。
【００４０】
[0055]  ＬＴＥは、ダウンリンク上では直交周波数分割多重化（ＯＦＤＭ）を利用し、アップリンク上ではシングルキャリア周波数分割多重化（ＳＣ−ＦＤＭ）を利用する。ＯＦＤＭおよびＳＣ−ＦＤＭは、システム帯域幅を、一般にトーン、ビンなどとも呼ばれる複数（Ｋ）個の直交サブキャリアに区分する。各サブキャリアはデータで変調され得る。一般に、変調シンボルは、ＯＦＤＭでは周波数領域で、ＳＣ−ＦＤＭでは時間領域で送信される。隣接するサブキャリア間の間隔は固定とすることができ得、サブキャリアの総数（Ｋ）はシステム帯域幅に依存することができる。たとえば、Ｋは、１．２５、２．５、５、１０、または２０メガヘルツ（ＭＨｚ）のシステム帯域幅に対してそれぞれ１２８、２５６、５１２、１０２４、または２０４８に等しくなり得る。システム帯域幅はまた、サブバンドに区分され得る。たとえば、サブバンドは１．０８ＭＨｚをカバーし得、１．２５、２．５、５、１０、または２０ＭＨｚのシステム帯域幅に対してそれぞれ１つ、２つ、４つ、８つ、または１６個のサブバンドがあり得る。
【００４１】
[0056]  図２に、ＬＴＥにおいて使用されるフレーム構造を示す。ダウンリンクの送信タイムラインは、無線フレームの単位に区分され得る。各無線フレームは、所定の持続時間（たとえば、１０ミリ秒（ｍｓ））を有してよく、０から９のインデックスをもつ１０個のサブフレームに区分され得る。各サブフレームは、２個のスロットを含み得る。したがって、各無線フレームは、０から１９のインデックスをもつ２０個のスロットを含み得る。各スロットは、Ｌ個のシンボル期間、たとえば、（図２に示すように）通常のサイクリックプレフィックスに対するＬ＝７個のシンボル期間、または拡張されたサイクリックプレフィックスに対するＬ＝６個のシンボル期間を含み得る。各サブフレーム中の２Ｌ個のシンボル期間には、０から２Ｌ−１のインデックスが割り当てられ得る。利用可能な時間周波数リソースはリソースブロックに区分され得る。各リソースブロックは、１つのスロット中でＮ個のサブキャリア（たとえば、１２個のサブキャリア）をカバーし得る。
【００４２】
[0057]  ＬＴＥでは、ｅＮＢは、ｅＮＢ中の各セルについて１次同期信号（ＰＳＳ）と２次同期信号（ＳＳＳ）とを送り得る。１次同期信号および２次同期信号は、図２に示すように、それぞれ、通常のサイクリックプレフィックス（ＣＰ）をもつ各無線フレームのサブフレーム０および５の各々中のシンボル期間６および５中で送られ得る。同期信号は、セル検出および捕捉のためにＵＥによって使用され得る。ｅＮＢは、サブフレーム０のスロット１中のシンボル期間０〜３中で物理ブロードキャストチャネル（ＰＢＣＨ：Physical Broadcast Channel）を送り得る。ＰＢＣＨはあるシステム情報を搬送し得る。
【００４３】
[0058]  ｅＮＢは、図２に示すように、各サブフレームの第１のシンボル期間中に物理制御フォーマットインジケータチャネル（ＰＣＦＩＣＨ：Physical Control Format Indicator Channel）を送り得る。ＰＣＦＩＣＨは、制御チャネルのために使用されるシンボル期間の数（Ｍ）を搬送し得、ここで、Ｍは、１、２または３に等しくなり得、サブフレームごとに変化し得る。Ｍはまた、たとえば、リソースブロックが１０個未満である、小さいシステム帯域幅では４に等しくなり得る。ｅＮＢは、各サブフレームの最初のＭ個のシンボル期間中に物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）とを送り得る（図２に図示せず）。ＰＨＩＣＨは、ハイブリッド自動再送要求（ＨＡＲＱ：hybrid automatic repeat request）をサポートするための情報を搬送し得る。ＰＤＣＣＨは、ＵＥのためのリソース割振りに関する情報と、ダウンリンクチャネルのための制御情報とを搬送し得る。ｅＮＢは、各サブフレームの残りのシンボル期間中に物理ダウンリンク共有チャネル（ＰＤＳＣＨ：Physical Downlink Shared Channel）を送り得る。ＰＤＳＣＨは、ダウンリンク上でのデータ送信のためにスケジュールされたＵＥのためのデータを搬送し得る。
【００４４】
[0059]  ｅＮＢは、ｅＮＢによって使用されるシステム帯域幅の中心１．０８ＭＨｚにおいてＰＳＳ、ＳＳＳおよびＰＢＣＨを送り得る。ｅＮＢは、これらのチャネルが送られる各シンボル期間中のシステム帯域幅全体にわたってＰＣＦＩＣＨおよびＰＨＩＣＨを送り得る。ｅＮＢは、システム帯域幅のいくつかの部分においてＵＥのグループにＰＤＣＣＨを送り得る。ｅＮＢは、システム帯域幅の特定の部分において特定のＵＥにＰＤＳＣＨを送り得る。ｅＮＢは、すべてのＵＥにブロードキャスト方式でＰＳＳ、ＳＳＳ、ＰＢＣＨ、ＰＣＦＩＣＨ、およびＰＨＩＣＨを送り得、特定のＵＥにユニキャスト方式でＰＤＣＣＨを送り得、また、特定のＵＥにユニキャスト方式でＰＤＳＣＨを送り得る。
【００４５】
[0060]  各シンボル期間においていくつかのリソース要素が利用可能であり得る。各リソース要素（ＲＥ）は、１つのシンボル期間中の１つのサブキャリアをカバーし得、実数値または複素数値であり得る１つの変調シンボルを送るために使用され得る。各シンボル期間中に基準信号のために使用されないリソース要素は、リソース要素グループ（ＲＥＧ：resource element group）に構成され得る。各ＲＥＧは、１つのシンボル期間中に４つのリソース要素を含み得る。ＰＣＦＩＣＨは、シンボル期間０において、周波数上でほぼ等しく離間され得る、４つのＲＥＧを占有し得る。ＰＨＩＣＨは、１つまたは複数の構成可能なシンボル期間において、周波数上で拡散され得る、３つのＲＥＧを占有し得る。たとえば、ＰＨＩＣＨのための３つのＲＥＧは、すべてシンボル期間０に属し得るか、またはシンボル期間０、１、および２に拡散され得る。ＰＤＣＣＨは、たとえば、最初のＭ個のシンボル期間中に利用可能なＲＥＧから選択され得る、９個、１８個、３６個、または７２個のＲＥＧを占有し得る。ＲＥＧのいくつかの組合せのみがＰＤＣＣＨに対して可能にされ得る。
【００４６】
[0061]  ＵＥは、ＰＨＩＣＨおよびＰＣＦＩＣＨのために使用される特定のＲＥＧを知り得る。ＵＥは、ＰＤＣＣＨのためのＲＥＧの様々な組合せを探索し得る。探索する組合せの数は、一般に、ＰＤＣＣＨに対して可能にされた組合せの数よりも少ない。ｅＮＢは、ＵＥが探索することになる組合せのいずれかにおいてＵＥにＰＤＣＣＨを送り得る。
【００４７】
[0062]  図２Ａに、ＬＴＥにおけるアップリンクのための例示的なフォーマット２００Ａを示す。アップリンクのために利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。図２Ａの設計は、データセクション中の連続するサブキャリアのすべてを単一のＵＥに割り当てることを可能にし得る連続サブキャリアを含むデータセクションを生じさせる。
【００４８】
[0063]  ＵＥには、ｅＮＢに制御情報を送信するために制御セクション中のリソースブロックが割り当てられ得る。ＵＥには、ノードＢにデータを送信するためにデータセクション中のリソースブロックも割り当てられ得る。ＵＥは、制御セクション中の割り当てられたリソースブロック上の物理アップリンク制御チャネル（ＰＵＣＣＨ：Physical Uplink Control Channel）２１０ａ、２１０ｂ中で制御情報を送信し得る。ＵＥは、データセクション中の割り当てられたリソースブロック上の物理アップリンク共有チャネル（ＰＵＳＣＨ：Physical Uplink Shared Channel）２２０ａ、２２０ｂ中でデータまたはデータと制御情報の両方を送信し得る。アップリンク送信は、サブフレームの両方のスロットにわたり得、図２Ａに示すように周波数全体にわたってホッピングし得る。
【００４９】
[0064]  ＵＥは、複数のｅＮＢのカバレージ内にあり得る。そのＵＥにサービスするために、これらのｅＮＢのうちの１つが選択され得る。サービングｅＮＢは、受信電力、経路損失、信号対雑音比（ＳＮＲ）など、様々な基準に基づいて選択され得る。
【００５０】
[0065]  ＵＥは、ＵＥが１つまたは複数の干渉ｅＮＢからの高干渉を観測し得る支配的干渉シナリオにおいて動作し得る。支配的干渉シナリオは、制限付き関連付けにより発生し得る。たとえば、図１では、ＵＥ  １２０ｙは、フェムトｅＮＢ１１０ｙに近接し得、ｅＮＢ１１０ｙについて高い受信電力を有し得る。しかしながら、ＵＥ１２０ｙは、制限付き関連付けによりフェムトｅＮＢ１１０ｙにアクセスすることができないことがあり、次いで、（図１に示すように）より低い受信電力をもつマクロｅＮＢ１１０ｃまたはやはりより低い受信電力をもつフェムトｅＮＢ１１０ｚ（図１に図示せず）に接続し得る。その場合、ＵＥ１２０ｙは、ダウンリンク上でフェムトｅＮＢ１１０ｙからの高干渉を観測し得、また、アップリンク上でｅＮＢ１１０ｙに高干渉を引き起こし得る。
【００５１】
[0066]  支配的干渉シナリオはまた、範囲拡張により発生し得、これは、ＵＥが、ＵＥによって検出されたすべてのｅＮＢのうち、より低い経路損失とより低いＳＮＲとをもつｅＮＢに接続するシナリオである。たとえば、図１では、ＵＥ１２０ｘは、マクロｅＮＢ１１０ｂとピコｅＮＢ１１０ｘとを検出し得、ｅＮＢ１１０ｘについて、ｅＮＢ１１０ｂよりも低い受信電力を有し得る。とはいえ、ｅＮＢ１１０ｘの経路損失がマクロｅＮＢ１１０ｂの経路損失よりも低い場合、ＵＥ１２０ｘはピコｅＮＢ１１０ｘに接続することが望ましいことがある。これにより、ＵＥ１２０ｘの所与のデータレートに対してワイヤレスネットワークへの干渉が少なくなり得る。
【００５２】
[0067]  一態様では、支配的干渉シナリオにおける通信は、異なるｅＮＢを異なる周波数帯域上で動作させることによってサポートされ得る。周波数帯域は、通信のために使用され得る周波数範囲であり、（ｉ）中心周波数および帯域幅、または（ｉｉ）より低い周波数およびより高い周波数によって与えられ得る。周波数帯域は、帯域、周波数チャネルなどと呼ばれることもある。異なるｅＮＢのための周波数帯域は、強いｅＮＢがそれのＵＥと通信することを可能にしながら、ＵＥが支配的干渉シナリオにおいてより弱いｅＮＢと通信することができるように選択され得る。ｅＮＢは、ＵＥにおいて受信されるｅＮＢからの信号の相対受信電力に基づいて（ｅＮＢの送信電力レベルには基づかずに）「弱い」ｅＮＢまたは「強い」ｅＮＢとして分類され得る。
【００５３】
[0068]  図３に、図１の基地局／ｅＮＢのうちの１つであり得る基地局またはｅＮＢ１１０および図１のＵＥのうちの１つであり得るＵＥ１２０の設計のブロック図を示す。制限付き関連付けシナリオの場合、ｅＮＢ１１０は図１のマクロｅＮＢ１１０ｃであり得、ＵＥ１２０はＵＥ１２０ｙであり得る。ｅＮＢ１１０はまた、何らかの他のタイプの基地局であり得る。ｅＮＢ１１０は、Ｔ個のアンテナ３３４ａ〜３３４ｔを装備し得、ＵＥ１２０は、Ｒ個のアンテナ３５２ａ〜３５２ｒを装備し得、概して、Ｔ≧１およびＲ≧１である。
【００５４】
[0069]  ｅＮＢ１１０において、送信プロセッサ３２０は、データソース３１２からデータを受信し、コントローラ／プロセッサ３４０から制御情報を受信し得る。制御情報は、ＰＢＣＨ、ＰＣＦＩＣＨ、ＰＨＩＣＨ、ＰＤＣＣＨなどのためのものであり得る。データは、ＰＤＳＣＨなどのためのものであり得る。送信プロセッサ３２０は、データと制御情報とを処理（たとえば、符号化およびシンボルマッピング）して、それぞれデータシンボルと制御シンボルとを取得し得る。送信プロセッサ３２０はまた、たとえば、ＰＳＳ、ＳＳＳ、およびセル固有基準信号のための基準シンボルを生成し得る。送信（ＴＸ）多入力多出力（ＭＩＭＯ）プロセッサ３３０は、適用可能な場合、データシンボル、制御シンボル、および／または基準シンボルに対して空間処理（たとえば、プリコーディング）を実行し得、Ｔ個の出力シンボルストリームをＴ個の変調器（ＭＯＤ）３３２ａ〜３３２ｔに供給し得る。各変調器３３２は、（たとえば、ＯＦＤＭなどの）それぞれの出力シンボルストリームを処理して出力サンプルストリームを取得し得る。各変調器３３２はさらに、出力サンプルストリームを処理（たとえば、アナログへの変換、増幅、フィルタ処理、およびアップコンバート）して、ダウンリンク信号を取得し得る。変調器３３２ａ〜３３２ｔからのＴ個のダウンリンク信号は、それぞれＴ個のアンテナ３３４ａ〜３３４ｔを介して送信され得る。
【００５５】
[0070]  ＵＥ１２０において、アンテナ３５２ａ〜３５２ｒは、ｅＮＢ１１０からダウンリンク信号を受信し得、受信信号をそれぞれ復調器（ＤＥＭＯＤ）３５４ａ〜３５４ｒに供給し得る。各復調器３５４は、それぞれの受信信号を調整（たとえば、フィルタ処理、増幅、ダウンコンバート、およびデジタル化）して、入力サンプルを得ることができる。各復調器３５４はさらに、（たとえば、ＯＦＤＭなどの）入力サンプルを処理して受信シンボルを取得し得る。ＭＩＭＯ検出器３５６は、Ｒ個の復調器３５４ａ〜３５４ｒのすべてから受信シンボルを取得し、適用可能な場合は受信シンボルに対してＭＩＭＯ検出を実行し、検出されたシンボルを供給し得る。受信プロセッサ３５８は、検出されたシンボルを処理（たとえば、復調、デインターリーブ、および復号）し、ＵＥ１２０の復号されたデータをデータシンク３６０に与え、復号された制御情報をコントローラ／プロセッサ３８０に与え得る。
【００５６】
[0071]  アップリンク上では、ＵＥ１２０において、送信プロセッサ３６４は、データソース３６２から（たとえば、ＰＵＳＣＨのための）データを受信し、処理し得、コントローラ／プロセッサ３８０から（たとえば、ＰＵＣＣＨのための）制御情報を受信し、処理し得る。送信プロセッサ３６４はまた、基準信号のための基準シンボルを生成し得る。送信プロセッサ３６４からのシンボルは、適用可能な場合はＴＸ  ＭＩＭＯプロセッサ３６６によってプリコードされ、さらに（たとえば、ＳＣ−ＦＤＭなどのために）変調器３５４ａ〜３５４ｒによって処理され、ｅＮＢ１１０に送信され得る。ｅＮＢ１１０において、ＵＥ１２０からのアップリンク信号は、アンテナ３３４によって受信され、復調器３３２によって処理され、適用可能な場合はＭＩＭＯ検出器３３６によって検出され、さらに受信プロセッサ３３８によって処理されて、ＵＥ１２０によって送られた復号されたデータおよび制御情報が取得され得る。受信プロセッサ３３８は、復号されたデータをデータシンク３３９に与え、復号された制御情報をコントローラ／プロセッサ３４０に与え得る。
【００５７】
[0072]  コントローラ／プロセッサ３４０、３８０は、それぞれｅＮＢ１１０における動作およびＵＥ１２０における動作を指示し得る。ＵＥ１２０におけるコントローラ／プロセッサ３８０ならびに／または他のプロセッサおよびモジュールは、図８のブロック８００の動作、および／または本明細書で説明する技法のための他のプロセスを実行または指示し得る。同様に、ｅＮＢ１１０におけるコントローラ／プロセッサ３４０ならびに／または他のプロセッサおよびモジュールは、図９のブロック９００の動作、および／または本明細書で説明する技法のための他のプロセスを実行または指示し得る。メモリ３４２および３８２はそれぞれ、基地局１１０およびＵＥ１２０のためのデータおよびプログラムコードを記憶することができる。スケジューラ３４４は、ダウンリンク上および／またはアップリンク上でのデータ送信のためにＵＥをスケジュールし得る。
【００５８】
例示的なリソース区分
[0073]  本開示のいくつかの態様によれば、ネットワークが拡張セル間干渉協調（ｅＩＣＩＣ）をサポートするとき、基地局は、干渉セルがそれのリソースの一部を断念することによって干渉を低減または解消するために、リソースを協調するために互いにネゴシエートし得る。ｅＩＣＩＣまたは同様の技法を使用すると、ＵＥは、干渉セルによってもたらされるリソースを使用してサービングセルにアクセスすることができ、さもなければ、ＵＥは厳しい干渉を受けることになる。
【００５９】
[0074]  たとえば、オープンマクロセルのカバレージ中の限定アクセスモードにあるフェムトセル（たとえば、メンバーフェムトＵＥのみがこのセルにアクセスすることができる）は、マクロセルのためのカバレージホールを生成することができる。フェムトセルにそれのリソースの一部を断念させることによって、フェムトセルカバレージエリアの下のマクロＵＥは、フェムトセルによってもたらされるリソースを使用することによってＵＥのサービングマクロセルにアクセスすることができる。
【００６０】
[0075]  Ｅ−ＵＴＲＡＮなど、ＯＦＤＭを使用する無線アクセスシステムでは、干渉セルによってもたらされるリソースは、時間ベース、周波数ベース、または両方の組合せであり得る。もたらされるリソースが時間ベースであるとき、干渉セルは、時間領域においてサブフレームの一部を使用しない。もたらされるリソースが周波数ベースであるとき、干渉セルは、周波数領域においてサブキャリアの一部を使用しない。もたらされるリソースが周波数と時間の両方の組合せであるとき、干渉セルは、周波数および時間によって定義されるいくつかのリソースを使用しない。
【００６１】
[0076]  図４に、ｅＩＣＩＣは、実線の無線リンク４０２によって示されるように、マクロＵＥ１２０ｙがフェムトセル１１０ｙから厳しい干渉を受けているときでも、ｅＩＣＩＣをサポートするマクロＵＥ１２０ｙ（たとえば、図４に示すようなＲｅｌ−１０マクロＵＥ）がマクロセル１１０ｃにアクセスすることを可能にし得る例示的なシナリオを示す。壊れた（broken）無線リンク４０４によって示されるように、レガシーマクロＵＥ１２０ｕ（たとえば、図４に示すようなＲｅｌ−８マクロＵＥ）は、フェムトセル１１０ｙからの厳しい干渉下でマクロセル１１０ｃにアクセスすることができないことがある。フェムトＵＥ１２０ｖ（たとえば、図４に示すようなＲｅｌ−８フェムトＵＥ）は、マクロセル１１０ｃからのいかなる干渉問題もなしにフェムトセル１１０ｙにアクセスし得る。
【００６２】
[0077]  いくつかの態様によれば、基地局間のリソース区分は時間ベースで行われ得る。一例として、Ｅ−ＵＴＲＡＮの場合、リソースはサブフレームによって区分され得る。
【００６３】
[0078]  いくつかの態様によれば、ネットワークは拡張干渉協調をサポートし得、区分情報の様々なセットがあり得る。これらのうちの第１のものを、半静的リソース区分情報（ＳＲＰＩ：Semi-Static Resource Partitioning information）と呼ぶことがある。これらのセットのうちの第２のものを、適応型リソース区分情報（ＡＲＰＩ：Adaptive Resource Partitioning information）と呼ぶことがある。文字通り、ＳＲＰＩは、一般に、頻繁に変化せず、ＳＲＰＩはＵＥに送られ得、したがって、ＵＥは、ＵＥ自体の動作のためにリソース区分情報を使用することができる。
【００６４】
[0079]  一例として、リソース区分は、８ｍｓの周期性（８つのサブフレーム）または４０ｍｓの周期性（４０個のサブフレーム）で実施され得る。いくつかの態様によれば、周波数リソースも区分され得るように周波数分割複信（ＦＤＤ）も適用され得ると仮定され得る。（たとえば、ｅＮＢからＵＥへの）ダウンリンクの場合、区分パターンは、知られているサブフレーム（たとえば、４の倍数などの整数Ｎの倍数であるシステムフレーム番号（ＳＦＮ：system frame number）値を有する各無線フレームの第１のサブフレーム）にマッピングされ得る。そのようなマッピングは、特定のサブフレームのリソース区分情報を判断するために適用され得る。一例として、ダウンリンクについての（たとえば、干渉セルによってもたらされる）協調リソース区分の対象となるサブフレームは、次のインデックスによって識別され得る。
【００６５】
IndexSRPI_DL = (SFN * 10 + subframe number) mod 8
[0080]  アップリンクについては、ＳＲＰＩマッピングは、たとえば、４ｍｓだけシフトされ得る。したがって、アップリンクについての例には、以下があり得る。
【００６６】
IndexSRPI_UL = (SFN * 10 + subframe number + 4) mod 8
[0081]  ＳＲＰＩは、各エントリ対して以下の３つの値を使用し得る。
【００６７】
・  Ｕ（使用）：この値は、サブフレームが、このセルによって使用されるべき支配的干渉からクリーンアップされていること（すなわち、主要な干渉セルがこのサブフレームを使用しないこと）を示す。
【００６８】
・  Ｎ（使用しない）：この値は、サブフレームが使用されないことを示す。
【００６９】
・  Ｘ（未知）：この値は、サブフレームが静的に区分されないことを示す。基地局間のリソース使用量ネゴシエーションの詳細はＵＥには知られない。
【００７０】
[0082]  ＳＲＰＩの別の可能なパラメータのセットには、以下があり得る。
【００７１】
・  Ｕ（使用）：この値は、サブフレームが、このセルによって使用されるべき支配的干渉からクリーンアップされていること（すなわち、主要な干渉セルがこのサブフレームを使用しないこと）を示す。
【００７２】
・  Ｎ（使用しない）：この値は、サブフレームが使用されないことを示す。
【００７３】
・  Ｘ（未知）：この値は、サブフレームが静的に区分されないことを示す（基地局間のリソース使用量ネゴシエーションの詳細はＵＥには知られない）。
【００７４】
・  Ｃ（共通）：この値は、すべてのセルがリソース区分なしにこのサブフレームを使用し得ることを示し得る。このサブフレームは干渉を受け得、したがって基地局は、厳しい干渉下にないＵＥのためにのみ、このサブフレームを使用することを選択し得る。
【００７５】
[0083]  サービングセルのＳＲＰＩは、無線でブロードキャストされ得る。Ｅ−ＵＴＲＡＮでは、サービングセルのＳＲＰＩは、マスタ情報ブロック（ＭＩＢ：master information block）中でまたはシステム情報ブロック（ＳＩＢ：system information block）のうちの１つ中で送られ得る。事前定義されるＳＲＰＩは、セル、たとえば、マクロセル、ピコセル（オープンアクセスの場合）、およびフェムトセル（限定アクセスの場合）の特性に基づいて定義され得る。そのような場合、システムオーバヘッドメッセージにおけるＳＲＰＩの符号化の結果として、無線でのブロードキャストがより効率的に行われ得る。
【００７６】
[0084]  基地局はまた、ＳＩＢのうちの１つにおいてネイバーセルのＳＲＰＩをブロードキャストし得る。この場合、ＳＲＰＩは、それの対応する範囲の物理セル識別情報（ＰＣＩ：physical cell identity）を用いて送られ得る。
【００７７】
[0085]  ＡＲＰＩは、ＳＲＰＩ中の「Ｘ」サブフレームについての詳細情報をもつさらなるリソース区分情報を表し得る。上記のように、「Ｘ」サブフレームについての詳細情報は、一般に基地局のみに知られる。
【００７８】
[0086]  図５および図６に、マクロセルおよびフェムトセルを用いたシナリオで上述したＳＲＰＩ割当ての例を示す。Ｕ、Ｎ、ＸまたはＣサブフレームは、Ｕ、Ｎ、ＸまたはＣ  ＳＲＰＩ割当てに対応するサブフレームである。
【００７９】
異種ネットワークにおける干渉を低減するための例示的な方法および装置
[0087]  前のセクションで論じたように、ｅＩＣＩＣは、異なる電力クラスに属するセルが、たとえば、異種ネットワークにおいて共存し、リソースを共有することを可能にする技法である。たとえば、ｅＩＣＩＣは、ＵＥが、ＵＥの近傍にある最強のセルではないセルからサービスを受けることを可能にし得る。一態様では、これは、マクロセルから比較的低い電力のピコセルへのオフロードを可能にし得る。
【００８０】
[0088]  いくつかの態様では、ｅＩＣＩＣ技法は、アグレッサセルｅＮＢ（たとえば、マクロセルｅＮＢ）が、マクロｅＮＢがマクロセルの近傍にある他のセル／基地局に対する干渉を低減しようとして送信を制限するいくつかの特別なサブフレーム（たとえば、アップリンクサブフレームまたはダウンリンクサブフレーム）を生成することを含むことができる。たとえば、より強いマクロセルは、オールモストブランクサブフレーム（ＡＢＳ：almost blank subframes）（たとえば、図６のＵサブフレーム）を生成し、ＡＢＳリソースを使用してＵＥにおいてより弱いセル（たとえば、ピコセル）の信号が受信されることを可能にすることができる。
【００８１】
[0089]  いくつかの態様では、アグレッサセル（たとえば、マクロセル）のＡＢＳのパターンは通常、犠牲セルのｅＮＢと共有され、それにより犠牲ｅＮＢ（たとえば、ピコｅＮＢ）が、たとえば、干渉が特に激しいセル範囲拡大（ＣＲＥ：cell range expansion）エリアにおいてこのＡＢＳリソースを用いて１つまたは複数のＵＥにサービスすることができるようになる。たとえば、マクロセルとピコセルとを含む異種ネットワーク（マクロ−ピコのケース）において、ＡＢＳはマクロセルによって作成され得てよく、マクロセルは、ＡＢＳリソースに関する情報を含むリソース区分情報をピコセルに通知することができる。次いでＡＢＳリソースがピコセルによって使用されて、ピコセルが最強セルではないＵＥ、たとえばＣＲＥ領域にあるＵＥにサービスすることができる。
【００８２】
[0090]  ＬＴＥリリース１０において、ＡＢＳは現在、ダウンリンク（ＤＬ）トラフィック用に定義されている。いくつかの態様では、たとえばＬＴＥ周波数分割複信（ＦＤＤ）では、ダウンリンク用のＡＢＳパターンが決定されているとき、アップリンク（ＵＬ）トラフィックへのＡＢＳパターンの簡単な適用は、同じダウンリンクＡＢＳパターンを４ｍｓのオフセットを伴って使用することである。その理由は、ＣＲＥエリアにあるＵＥは、ＤＬ  ＡＢＳで（ＵＬ  ＡＢＳパターンを含む）アップリンク許可／スケジューリングを有するＰＤＣＣＨを受信する必要があり得ることである。したがって、いくつかの態様では、ＵＬ送信は、ＵＬ許可の受信から４ｍｓ後である。
【００８３】
[0091]  これは、ＤＬ  ＡＢＳパターンとＵＬ  ＡＢＳパターンとの間に緊密なつながりをもたらす。しかし、いくつかの態様では、ＨｅｔＮｅｔにおけるＵＬ上のＵＥの干渉状態は、ＤＬ上の干渉状態とは明確に別個のものであることがあり、たとえば、（マクロセルから強いＤＬ干渉を受け得る）ＣＲＥエリアにあるピコＵＥは、依然として、ピコセルへの経路損失がマクロセルへの経路損失よりも小さく、ＵＬ上では受ける干渉がはるかに少ない場合がある。一方、ピコＵＥは、たとえば、ピコＵＥにハンドオーバされ得ないそれの近傍にある１つまたは複数のマクロＵＥ（たとえば、レガシーＵＥ）のせいで、ＵＬ上ではＤＬ上と比較してより多くの干渉を受けることがあり、ピコｅＮＢへの経路損失がそれらのサービングマクロｅＮＢへの経路損失よりも小さいことがある。したがって、ＵＬ干渉パターンがＤＬ干渉パターンとは大きく異なる場合、ＤＬ  ＡＢＳパターンと同様のＵＬ  ＡＢＳパターンは、たとえば、ピコｅＮＢと犠牲ピコＵＥとの間の効率的なＵＬ送信を支援しないことがある。
【００８４】
[0092]  図７に、本開示のいくつかの態様による、ピコｅＮＢとピコＵＥとの間の様々なＵＬ干渉シナリオを示す例示的な異種ネットワーク（ＨｅｔＮｅｔ）７００を示す。いくつかの態様では、特定の領域にあるＵＥがＵＬ上またはＤＬ上で高干渉を引き起こしやすいか、または高干渉を受けやすいかに基づいて、いくつかの領域がネットワーク７００において定義され得る。
【００８５】
[0093]  たとえば、ＵＬ上とＤＬ上の両方でピコｅＮＢ７０４に最も近いピコＵＥ（ＰＵＥ）（たとえば、ＰＵＥ３）を含むピコ中央領域１が定義され得る。一態様では、ピコ中央領域１は、Ｒ８ハンドオーバ（ＨＯ）境界まで広がり得る。概して、Ｒ８ＨＯ境界は、それを越えるとレガシーＲ８マクロＵＥがピコｅＮＢ７０４にハンドオーバされ得る、マクロｅＮＢ７０２からの最大距離を示す。
【００８６】
[0094]  Ｒ８ＨＯ境界とＤＬ  ＣＲＥ境界との間に、ＤＬ上でマクロｅＮＢ７０２に最も近く、ＵＬ上でピコｅＮＢ７０４に最も近い（ＣＲＥバイアスによって定義される）ピコＣＲＥ領域にあるＵＥ（マクロＵＥおよび／またはピコＵＥ）を含むピコＤＬ  ＣＲＥ領域２が定義され得る。領域２にあるＵＥは、ピコＵＥ（たとえば、ＰＵＥ１およびＰＵＥ２）および／または弱いピコセル７０４を検出しないことがあるレガシーマクロＵＥ（ＭＵＥ）（たとえば、ＭＵＥ２）であり得る。
【００８７】
[0095]  ＤＬ  ＣＲＥ境界と同等経路損失（ＰＬ）境界との間に、ピコＣＲＥ領域を越えるが、依然としてＤＬ上でマクロｅＮＢ７０２に最も近く、ＵＬ上でピコｅＮＢ７０４に最も近いマクロＵＥ（たとえば、ＭＵＥ３）を含むマクロＵＬ干渉領域３が定義され得る。
【００８８】
[0096]  マクロｅＮＢ７０２の近くに、ＵＬ上とＤＬ上の両方でマクロセル７０２に最も近いマクロＵＥを含むマクロ中央領域４が定義され得る。
【００８９】
[0097]  いくつかの態様では、ＵＬの観点から、領域２および３にあるマクロＵＥによって、これらの領域におけるピコＵＥとピコｅＮＢ７０４との間のＵＬ送信に対して高干渉状態が引き起こされ得る。たとえば、図７に示すように、領域２にあるレガシーＭＵＥ２はＰＵＥ１およびＰＵＥ２よりも、ピコセル７０４に近い。これはＵＥ間の電力競争（power racing）状態、ひいてはパフォーマンスの低下につながり得る。一方、領域３にあるＭＵＥ３は、電力競争状態をもたらさないかもしれないが、依然としてピコｅＮＢ７０４に対して、それ自体のサービングマクロセル７０２と比較して経路損失がより小さくなり得ることから高干渉を引き起こし得る。
【００９０】
[0098]  上記のように、ピコＵＥのＵＬ干渉シナリオは、それらのＤＬ干渉シナリオとは別個のものであり得る。たとえば、ＰＵＥ１およびＰＵＥ２は、ＤＬ  ＣＲＥ領域２にある間、マクロｅＮＢ７０２から強いＤＬ干渉を受けることがあるが、レガシーＭＵＥ２からのみ、支配的なＵＬ干渉を受けることがある。したがって、明らかに、領域２にあるピコＵＥに適用可能なＵＬ上の所望のスケジューリング制限（たとえば、ＵＬ  ＡＢＳパターン）は、ＤＬ制限とは異なるべきである。したがって、そのようなシナリオでは、アップリンクスケジューリングとダウンリンクスケジューリングとの間の適切な分離が必要である。
【００９１】
[0099]  本開示のいくつかの態様は、ＤＬ  ＡＢＳパターンとＵＬ  ＡＢＳパターンとの間のこの緊密なつながりを除去し、干渉セルが他の犠牲セルに対する干渉を低減しようとして送信を制限しているＤＬ  ＡＢＳリソースを使用せずに、ＵＥ、たとえばピコＣＲＥ領域にあるピコＵＥに（たとえば、ＵＬリソースの割当てを含む）ＵＬ許可を確実に付与することによって分離を実現する技法について論じる。いくつかの態様では、大まかに２つの技法が論じられる。一技法では、ＵＬ許可送信のためにＤＬ  ＡＢＳで送られる通常のＰＤＣＣＨを使用する代わりに、干渉基地局からの送信への干渉を回避するように構成されたリソースを使用して、別のより信頼できるＤＬ制御チャネル上でＵＬ許可が送られる。別の技法では、ＤＬ許可は、依然として非ＤＬ  ＡＢＳリソースでＰＤＣＣＨ上で送られるが、強化されたＵＥの能力が使用されて、ＵＥにおいて受信された制御情報を処理する。たとえば、強化されたＵＥの能力は、干渉消去（ＩＣ）を含むことができる。
【００９２】
[00100]  第１の技法によれば、（Ｒ−ＰＤＣＣＨと類似する）新しく設計されたＰＤＣＣＨである拡張ＰＤＣＣＨ（Ｅ−ＰＤＣＣＨ）が使用されて、犠牲セルのＵＥにＵＬ許可を送ることができる。いくつかの態様では、基地局間の周波数領域リソース区分を使用して干渉を回避するように選択されたリソースを使用して、Ｅ−ＰＤＣＣＨは送信される。これらのリソースは、ＰＤＳＣＨのようなダウンリンクリソースを含むことができる。一般的に言って、いくつかの態様では、周波数領域でサービング基地局と干渉基地局との間でダウンリンクリソース（たとえば、ＰＤＳＣＨリソース）が割り振られてよく、アップリンクリソースの割当ては、サービング基地局のために割り振られたダウンリンクリソースを介して（たとえば、Ｅ−ＰＤＣＣＨ上で）受信され得る。
【００９３】
[00101]  第２の技法によれば、ＣＲＥ領域２にあるピコＵＥは、サービングピコｅＮＢ７０４から送信されたピコＵＥのＵＬ許可を復号するにあたり、干渉基地局（たとえば、マクロｅＮＢ７０２）から送信された信号を消去するためにＰＤＣＣＨ干渉消去（ＩＣ）を実行することができる。しかしながら、ＰＤＣＣＨ  ＩＣベースの手法を使用するために、ピコｅＮＢ７０４は、ＰＤＣＣＨ  ＩＣを使用して信頼できるＵＬ許可を取得することができるピコＵＥを識別する必要があり得る。ピコｅＮＢ７０４はこの決定を、いくつかの要素またはパラメータに基づいて行うことができる。いくつかの態様では、ピコｅＮＢは最初に、ＰＤＣＣＨでＵＬ許可を送る前にＰＤＣＣＨ  ＩＣを実行するピコＵＥの能力をチェックすることができる。これは、ピコＵＥが、ピコｅＮＢ７０４からの要求に応じて、またはそのような要求を受信せずに単独で、ＰＤＣＣＨ  ＩＣを実行するそれの能力の指示を送ることを含み得る。  いくつかの態様では、ピコＵＥは、（たとえば、ＰＤＣＣＨ  ＩＣを実行した後に）ＰＤＣＣＨのチャネル状態をピコｅＮＢ７０４に報告することができる。ＵＥはまた、（たとえば、ＰＤＣＣＨ  ＩＣを実行した後に）ＰＤＣＣＨのチャネル状態に基づいて、ピコｅＮＢ７０４の１つまたは複数の非ＤＬ  ＡＢＳリソースで１つまたは複数の無線リンク測定を実行し、無線リンク測定をサービングピコｅＮＢ７０４に報告することができる。これは、非ＡＢＳリソースで無線リンク障害（ＲＬＦ）がトリガされた場合に報告することを含み得る。加えて、新しい「制御チャネル状態情報（ＣＳＩ）」（制御領域のＣＳＩ）報告も使用され得る。
【００９４】
[00102]  いくつかの態様では、ピコｅＮＢ７０４は、ＤＬ  ＡＢＳリソースを使用して、ただし、（たとえば、上記の４ｍｓの固定オフセットではない）ＵＬ許可とＵＬ送信との間の設定可能なオフセットを伴って、ピコＵＥにＵＬ許可を送ることができる。いくつかの態様では、ＵＬ許可は、ＵＬ送信に関する設定可能な時間オフセット情報を含むことができる。追加または代替として、１つのＵＬ許可は、複数のＵＬ送信割当てを含むことができる。追加または代替として、ＵＬ許可は、異なるサブフレームにわたり得る。
【００９５】
[00103]  いくつかの態様では、ＵＬ  ＡＢＳパターンはまた、近くのマクロＵＥによって引き起こされたピコセル７０４に対するＵＬ干渉状態を示すように（たとえば、ＤＬ  ＡＢＳパターンに類似した）ビットマップパターンとともに定義され得る。たとえば、値１を有するビットは、ピコセル７０４に対してＵＬ干渉を引き起こし得るマクロＵＥのＵＬ送信をマクロｅＮＢ７０２がスケジュールしないサブフレームを示し得る。ピコセルは、これらのサブフレームを使用して、ＣＲＥ領域２にあるＵＥのＵＬ送信をスケジュールすることができる。値０を有するビットは、ピコセル７０４に対してＵＬ干渉を引き起こし得るマクロＵＥのＵＬ送信をマクロｅＮＢ７０２がスケジュールし得るサブフレームを示し得る。ピコセル７０４は、マクロＵＥからＵＬ干渉を受けにくい中央ピコＵＥのＵＬ送信をスケジュールすることができる。
【００９６】
[00104]  図８に、本開示のいくつかの態様による、異種ネットワークにおける干渉を低減するためにＵＥによって実行され得る例示的な動作８００を示す。一態様では、ＵＥは、ピコＵＥであるＰＵＥ１、ＰＵＥ２、ＰＵＥ３、または１００８を含むことができる。
【００９７】
[00105]  動作８００は、８０２において、サービング基地局から、干渉基地局が別の局に対する干渉を低減しようとしてダウンリンク送信を制限する特別なダウンリンクサブフレームでダウンリンクリソースの割当てを受信することによって始まる。８０４において、ＵＥはサービング基地局から、特別なダウンリンクサブフレームとは異なるダウンリンクサブフレームでアップリンクリソースの割当てを確実に受信することができる。８０６において、ＵＥはサービング基地局に対して、割り当てられたアップリンクリソースを使用して送信することができる。
【００９８】
[00106]  一態様では、サービング基地局は、ピコｅＮＢ７０４または１００４を含むことができ、干渉基地局は、マクロｅＮＢ７０２または１００２を含むことができる。一態様では、特別なダウンリンクサブフレームは、ＡＢＳを含むことができ、特別なダウンリンクサブフレームとは異なるダウンリンクサブフレームは、干渉基地局からの干渉から保護されていないサブフレームを含むことができる。一態様では、ＵＬリソースの割当ては、ピコＵＥによるＵＬ送信のためのＵＬ  ＡＢＳパターンを含むことができる。
【００９９】
[00107]  図９に、本開示のいくつかの態様による、異種ネットワークにおける干渉を低減するためにサービング基地局によって実行され得る例示的な動作９００を示す。一態様では、基地局はピコｅＮＢ７０４または１００４を含むことができる。
【０１００】
[00108]  動作９００は、９０２において、サービング基地局から、干渉基地局が別の局に対する干渉を低減しようとしてダウンリンク送信を制限する特別なサブフレームでダウンリンクリソースの割当てを送信することによって始まる。９０４において、サービング基地局は、特別なダウンリンクサブフレームとは異なるダウンリンクサブフレームでアップリンクリソースの割当てを送信することができる。９０６において、サービング基地局は、割り当てられたアップリンクリソースを使用して受信することができる。
【０１０１】
[00109]  一態様では、干渉基地局はマクロｅＮＢ７０２または１００２を含むことができる。一態様では、特別なダウンリンクサブフレームは、ＡＢＳを含むことができ、特別なダウンリンクサブフレームとは異なるダウンリンクサブフレームは、干渉基地局からの干渉から保護されていないサブフレームを含むことができる。一態様では、ＵＬリソースの割当ては、ピコＵＥによるＵＬ送信のためのＵＬ  ＡＢＳパターンを含むことができる。
【０１０２】
[00110]  いくつかの態様では、マクロｅＮＢ（たとえば、マクロｅＮＢ７０２）は、それのサービスされるマクロＵＥ（たとえば、ＭＵＥ１、２および３）のうちのいくつかのためにアップリンクリソースを予約することができる。マクロｅＮＢは、このリソース区分に関するピコｅＮＢ情報を提供することができる。一態様では、ピコｅＮＢは、たとえばＣＲＥエリアにあるピコＵＥと通信するために、予約されたリソースを使用することができない。代替または追加として、いくつかの態様では、マクロｅＮＢは、それのサービスされるマクロＵＥのうちのいくつかによって使用され得ず、ピコｅＮＢに関連するピコＵＥによる使用のためのものであり得るいくつかのアップリンクリソースを識別することができる。
【０１０３】
[00111]  いくつかの態様では、予約されたリソースは、ピコセルに対してＵＬ干渉を引き起こし得るマクロＵＥによって使用され得る。たとえば、上記のように、サービングマクロｅＮＢがピコセルにハンドオーバしていない、ピコセルに近いマクロＵＥは、ピコセルＵＥに対してＵＬ干渉を引き起こすことがある。したがって、これらのマクロＵＥは、予約されたＵＬリソースを使用することができる。加えて、レガシーＵＥは、弱いピコセルを検出しないことがあり、したがって、予約されたＵＬリソースを使用し得る。
【０１０４】
[00112]  いくつかの態様では、リソース区分は、周波数領域、時間領域、またはそれらの組合せで実行され得る。周波数領域リソース区分の場合、いくつかの無線リソースブロック（コンポーネントキャリア）が、いくつかのＵＥ（たとえば、リリース８マクロＵＥ）用に指定され得る。時間領域リソース区分の場合、ＵＬサブフレームのサブセットが、いくつかのＵＥ（たとえば、リリース８マクロＵＥ）用に指定され得る。
【０１０５】
[00113]  いくつかの態様では、マクロｅＮＢおよびピコｅＮＢは、たとえばバックホールインターフェースを使用して、リソース区分に必要とされるメッセージングを交換することができる。たとえば、ピコｅＮＢは、１つまたは複数のマクロｅＮＢに、ピコＵＥからのＵＬロード（たとえば、消費されている、または消費されることになるチャネルリソース数）を伝えるフィードバックパラメータを送信することができる。マクロｅＮＢは、１つまたは複数のピコｅＮＢから受信されたピコＵＥのＵＬロード情報と、予約されたリソースを使用し得るＭＵＥのＵＬロードとを比較することによって、（たとえば、ＭＵＥ用のリソースの量を含む）リソース区分を実行することができる。マクロｅＮＢは、ＵＬリソース制限をピコｅＮＢに通知するために、情報要素／メッセージ（たとえば、リソースステータスメッセージなどのステータス報告メッセージ）を送信することができる。
【０１０６】
[00114]  いくつかの態様では、ピコセルに干渉し得ないレガシーマクロＵＥ（たとえば、ピコセルから遠くにあり得るレガシーマクロＵＥ）は、予約されたリソースを使用する必要がないことがある。しかしながら、マクロｅＮＢは、特定のマクロＵＥが１つまたは複数のピコセルに対してどのくらい近くにあるかを知らないことがあるので、マクロＵＥがピコＵＥに干渉し得るかどうかわからないことがある。したがって、マクロｅＮＢは、予約されたリソースを使用する必要がないそれらのマクロＵＥのためにも、リソースを予約し得る。したがって、ピコセルに干渉せず、予約されたリソースを使用する必要がないマクロＵＥをマクロｅＮＢが識別するのを可能にする技術が必要である。
【０１０７】
[00115]  いくつかの態様では、ピコｅＮＢは、基準信号（たとえば、サウンディング基準信号（ＳＲＳ））検出を使用して干渉マクロＵＥ（たとえば、レガシーマクロＵＥ）を検出し、検出されたマクロＵＥの指示を干渉マクロｅＮＢに送ることができる。
【０１０８】
[00116]  図１０に、本開示のいくつかの態様による、ピコセルにＵＬ干渉を引き起こし得る１つまたは複数のマクロＵＥを検出するための例示的な方法１０００を示す。ステップ１において、マクロｅＮＢ１００２は、マクロＵＥ１００６（たとえば、リリース８準拠（Ｒ８）ＵＥ）との接続モードにあり得る。この時点で、マクロＵＥ１００６は、マクロｅＮＢ１００２にデータを送信するために制限なしにアップリンクリソースを使用することができる。
【０１０９】
[00117]  ステップ２において、マクロｅＮＢ１００２は、ピコセルに潜在的に干渉し得る１つまたは複数のマクロＵＥの基準信号（たとえば、サウンディング基準信号（ＳＲＳ））構成情報をピコｅＮＢ１００４に提供することができる。たとえば、マクロｅＮＢ１００２は、ピコｅＮＢ１００４に近づいて、ピコｅＮＢの送信に干渉し始める可能性があるマクロＵＥ１００６のＳＲＳ構成情報をピコｅＮＢ１００４に提供することができる。加えて、マクロｅＮＢ１００２は、ピコｅＮＢ１００４に潜在的に干渉し得る他のマクロレガシーＵＥに関するＳＲＳ構成情報を提供することもできる。いくつかの態様では、各ＳＲＳ構成は、ＵＥを示すインデックスを有し得る。
【０１１０】
[00118]  ステップ３ａおよび３ｂにおいて、マクロｅＮＢ１００２およびピコｅＮＢ１００４は、ピコｅＮＢ１００４がマクロＵＥ１００６からＳＲＳを受信できるほどピコｅＮＢ１００４に十分に近いところにあり得るマクロＵＥ１００６を含む１つまたは複数のマクロＵＥから（たとえば、周期的に、非周期的に、またはイベントに応答して）ＳＲＳ送信を受信することができる。ピコｅＮＢ１００４は、（たとえば、ステップ２で提供された）提供されたＳＲＳ構成を使用して、マクロＵＥ１００６を含む１つまたは複数のマクロＵＥからのＳＲＳ送信を検出することができる。
【０１１１】
[00119]  ステップ４において、ピコｅＮＢ１００４は、１つまたは複数のマクロＵＥのＳＲＳ検出をマクロｅＮＢ１００２に報告することができる。一態様では、ピコｅＮＢ１００４は、合致するＳＲＳ送信を検出したとき、マクロｅＮＢ１００２に対し、検出されたＳＲＳ構成のインデックスを通知することができる。このようにして、ピコｅＮＢ１００４に干渉する可能性があり、マクロｅＮＢ１００２によって割り当てられた予約されたリソースを使用する必要があり得る、ピコｅＮＢ１００４に近接したマクロＵＥに、マクロｅＮＢ１００２は気づくことができる。
【０１１２】
[00120]  ステップ５において、マクロｅＮＢ１００２は、検出されたマクロＵＥのためのＵＬリソース予約をピコｅＮＢ１００４に送信することができる。ピコｅＮＢ１００４は、ＵＬ干渉が低減され、かつ／または最小化されるように、予約されたリソースとは異なるリソースをピコＵＥ１００８に割り振ることができる。いくつかの態様によれば、マクロｅＮＢ１００２は、ピコＣＲＥ  ＵＥからのＵＬロードと、予約されたリソースを使用し得るマクロＵＥからのＵＬロードとに基づいて（たとえば、これらを比較することによって）、ピコｅＮＢ１００４によって検出されたマクロＵＥのために予約すべきリソースの量を決定することができる。
【０１１３】
[00121]  ステップ６において、マクロｅＮＢ１００２は、ＵＥ１００６を含む検出されたマクロＵＥのために（たとえば、これらのためにのみ）、予約されたＵＬリソースを使用することができる。ステップ７において、ピコｅＮＢ１００４およびピコＵＥ１００８は、マクロＵＥ１００６を含む、検出された、潜在的に干渉するマクロＵＥのために予約されていないリソースを使用して通信することができる。
【０１１４】
[00122]  図１１に、本開示のいくつかの態様による、たとえば、干渉基地局（ＢＳ）によって実行され得る例示的な動作１１００を示す。一態様では、干渉基地局はマクロｅＮＢ７０２または１００２を含むことができる。
【０１１５】
[00123]  動作１１００は、１１０２において、干渉ＢＳによってサービスされる１つまたは複数のユーザ機器（ＵＥ）のセットを識別することであって、そのＵＬ送信が、サービングＢＳによってサービスされる１つまたは複数の他のＵＥからのＵＬ送信に干渉し得る、ことによって始まる。一態様では、サービングＢＳはピコｅＮＢ７０４または１００４を含むことができ、干渉ＢＳによってサービスされる１つまたは複数のＵＥは、マクロＵＥであるＭＵＥ１、ＭＵＥ２、ＭＵＥ３および／または１００６を含むことができ、サービングＢＳによってサービスされる１つまたは複数の他のＵＥは、ピコＵＥであるＰＵＥ１、ＰＵＥ２、ＰＵＥ３および／または１００８を含むことができる。１１０４において、干渉ＢＳは、１つまたは複数のＵＥのセットによる使用のためにリソースセットを予約する。１１０６において、干渉ＢＳは、予約されたリソースセットをサービングＢＳに通信する。
【０１１６】
[00124]  いくつかの態様では、干渉ＢＳは、１つまたは複数のＵＥのセットに関するＳＲＳ構成情報をサービングＢＳに送信することができる。干渉ＢＳは、サービングＢＳから、干渉ＢＳによってサービスされ、ＳＲＳ構成情報に基づいてサービングＢＳによって検出されたＵＥを示す報告を受信することができる。干渉ＢＳは、そのような報告に基づいてＵＥのセットを識別することができる。いくつかの態様では、干渉ＢＳは、サービングＢＳから、１つまたは複数の他のＵＥに関するアップリンクローディング情報を受信することができる。干渉ＢＳは、干渉ＢＳによってサービスされる１つまたは複数のユーザ機器（ＵＥ）のセットに関するアップリンクローディング情報またはサービングＢＳによってサービスされる１つまたは複数の他のＵＥに関するアップリンクローディング情報のうちの少なくとも１つに基づいて、予約すべきリソースの量を決定することができる。干渉ＢＳは、干渉ＢＳと干渉ＢＳによってサービスされる１つまたは複数のＵＥのセットとの間の通信のために、予約されたリソースを割り振ることができる。
【０１１７】
[00125]  図１２に、本開示のいくつかの態様による、たとえば、サービング基地局によって実行され得る例示的な動作１２００を示す。一態様では、サービングＢＳはピコｅＮＢ７０４または１００４を含むことができる。
【０１１８】
[00126]  動作１２００は、１２０２において、サービング基地局によって、干渉基地局によってサービスされる１つまたは複数のＵＥを検出することであって、そのＵＬ送信が、サービング基地局によってサービスされる１つまたは複数の他のＵＥからのＵＬ送信に干渉し得る、ことによって始まり得る。一態様では、干渉基地局はマクロｅＮＢ７０２または１００２を含むことができ、干渉ＢＳによってサービスされる１つまたは複数のＵＥは、マクロＵＥであるＭＵＥ１、ＭＵＥ２、ＭＵＥ３および／または１００６を含むことができ、サービングＢＳによってサービスされる１つまたは複数の他のＵＥは、ピコＵＥであるＰＵＥ１、ＰＵＥ２、ＰＵＥ３および／または１００８を含むことができる。１２０４において、サービング基地局は、検出されたＵＥの指示を干渉基地局に送る。
【０１１９】
[00127]  一態様では、サービング基地局は、干渉基地局によってサービスされる１つまたは複数のＵＥに関するＳＲＳ構成情報を受信することができる。サービング基地局は、ＳＲＳ構成情報に基づいて、１つまたは複数のＵＥから送信された基準信号（ＲＳ）を検出することによって、１つまたは複数のＵＥを検出することができる。一態様では、サービング基地局は、干渉基地局から、１つまたは複数のＵＥによるアップリンク送信のために予約されたリソースの指示を受信することができる。サービング基地局は、サービング基地局とサービング基地局によってサービスされる１つまたは複数の他のＵＥとの間の通信のために、予約されたリソースを割り振らず（たとえば、異なるリソースを割り振り）、それによりアップリンク干渉を低減および／または最小化することができる。
【０１２０】
[00128]  図１３に、本開示のいくつかの態様による、たとえば、サービング基地局（ＢＳ）によって実行され得る例示的な動作１３００を示す。一態様では、サービングＢＳはピコｅＮＢ７０４または１００４を含むことができる。
【０１２１】
[00129]  動作１３００は、１３０２において、干渉ＢＳによってサービスされる１つまたは複数のＵＥを検出することであって、そのＵＬ送信が、サービングＢＳによってサービスされる１つまたは複数の他のＵＥからのＵＬ送信に干渉し得る、ことによって始まり得る。一態様では、干渉基地局はマクロｅＮＢ７０２または１００２を含むことができ、干渉ＢＳによってサービスされる１つまたは複数のＵＥは、マクロＵＥであるＭＵＥ１、ＭＵＥ２、ＭＵＥ３および／または１００６を含むことができ、サービングＢＳによってサービスされる１つまたは複数の他のＵＥは、ピコＵＥであるＰＵＥ１、ＰＵＥ２、ＰＵＥ３および／または１００８を含むことができる。  １３０４において、サービングＢＳは、検出された１つまたは複数のＵＥの指示を干渉ＢＳに送ることができる。１３０６において、サービングＢＳは、干渉ＢＳから、干渉ＢＳによってサービスされる１つまたは複数のＵＥによるＵＬ送信のために予約されたリソースの指示を受信することができる。
【０１２２】
[00130]  一態様では、サービングＢＳは、サービングＢＳとサービングＢＳによってサービスされる１つまたは複数のＵＥとの間の通信のために、予約されたリソースを割り振ることができない。一態様では、予約されたリソースは、サービング基地局による使用のために割り振られたリソースから、時間領域または周波数領域のうちの少なくとも１つで区分されたリソースを含むことができる。一態様では、サービングＢＳは、サービングＢＳによってサービスされる１つまたは複数のＵＥからのロードの指示を干渉ＢＳに提供することができる。
【０１２３】
[00131]  図１４に、本開示のいくつかの態様による、異種ネットワークにおけるダウンリンク（ＤＬ）リソース区分とアップリンク（ＵＬ）リソース区分とを分離するためにＵＥによって実行され得る例示的な動作１４００を示す。一態様では、ＵＥは、ピコＵＥであるＰＵＥ１、ＰＵＥ２、ＰＵＥ３、または１００８を含むことができる。
【０１２４】
[00132]  動作１４００は、１４０２において、サービング基地局から、アップリンクリソースの割当てを受信することであって、割り当てられたアップリンクリソースが、干渉基地局が別の局に対する干渉を低減しようとしてダウンリンク送信を制限する特別なサブフレームに対する固定時間オフセットを有するリソースに限定されない、ことによって始まる。１４０４において、ＵＥはサービング基地局に対して、割り当てられたアップリンクリソースを使用して送信することができる。
【０１２５】
[00133]  一態様では、サービング基地局は、ピコｅＮＢ７０４または１００４を含むことができ、干渉基地局は、マクロｅＮＢ７０２または１００２を含むことができる。一態様では、特別なサブフレームはＡＢＳを含み得る。一態様では、ＵＬリソースの割当ては、ピコＵＥによるＵＬ送信のためのＵＬ  ＡＢＳパターンを含むことができる。
【０１２６】
[00134]  図１５に、本開示のいくつかの態様による、異種ネットワークにおけるダウンリンク（ＤＬ）リソース区分とアップリンク（ＵＬ）リソース区分とを分離するためにサービング基地局によって実行され得る例示的な動作１５００を示す。一態様では、サービング基地局はピコｅＮＢ７０４または１００４を含むことができる。
【０１２７】
[00135]  動作１５００は、１５０２において、サービング基地局から、アップリンクリソースの割当てを送信することであって、割り当てられたアップリンクリソースが、干渉基地局が別の局に対する干渉を低減しようとしてダウンリンク送信を制限する特別なサブフレームに対する固定時間オフセットを有するリソースに限定されない、ことによって始まり得る。１５０４において、サービング基地局は、割り当てられたアップリンクリソースを使用して受信する。
【０１２８】
[00136]  一態様では、干渉基地局はマクロｅＮＢ７０２または１００２を含むことができる。一態様では、特別なサブフレームはＡＢＳを含み得る。一態様では、ＵＬリソースの割当ては、ピコＵＥによるＵＬ送信のためのＵＬ  ＡＢＳパターンを含むことができる。
【０１２９】
[00137]  上記で説明した方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、様々な（１つまたは複数の）ハードウェアおよび／またはソフトウェア構成要素および／またはモジュールを含み得る。
【０１３０】
[00138]  情報および信号は様々な異なる技術および技法のいずれかを使用して表すことができることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１３１】
[00139]  さらに、本明細書の開示に関連して説明した様々な例示的な論理ブロック、モジュール、回路、およびアルゴリズムステップは、電子ハードウェア、コンピュータソフトウェア、または両方の組合せとして実装できることを、当業者は諒解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装することができるが、そのような実装の決定は、本開示の範囲からの逸脱を生じるものと解釈すべきではない。
【０１３２】
[00140]  本明細書の開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェア構成要素、あるいは本明細書に記載の機能を実行するように設計されたそれらの任意の組合せを用いて実装または実行できる。汎用プロセッサはマイクロプロセッサとすることができるが、代替として、プロセッサは任意の従来のプロセッサ、コントローラ、マイクロコントローラ、または状態機械とすることができる。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもできる。
【０１３３】
[00141]  本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、および／または記憶媒体に情報を書き込むことができるように、プロセッサに結合される。代替として、記憶媒体はプロセッサに一体化することができる。プロセッサおよび記憶媒体はＡＳＩＣ中に存在することができる。ＡＳＩＣは、ユーザ端末内に存在することができる。代替として、プロセッサおよび記憶媒体は、ユーザ端末内に個別構成要素として存在することもできる。
【０１３４】
[00142]  １つまたは複数の例示的な設計では、説明した機能は、ハードウェア、ソフトウェア、ファームウェア、またはそれらの任意の組合せで実装され得る。ソフトウェアで実装する場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭ、または他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（ｄｉｓｋ）およびディスク（ｄｉｓｃ）は、通常はディスク（ｄｉｓｋ）が磁気的にデータを再生し、一方、ディスク（ｄｉｓｃ）がレーザによって光学的にデータを再生する場合に、コンパクトディスク（ＣＤ）、レーザディスク、光ディスク、デジタル多用途ディスク（ＤＶＤ）、フロッピー（登録商標）ディスク、およびブルーレイ（登録商標）ディスクを含む。上記の組合せもコンピュータ可読媒体の範囲内に含めるべきである。
【０１３５】
[00143]  本明細書で使用する、項目のリスト「のうちの少なくとも１つ」を指す句は、単一のメンバーを含む、それらの項目の任意の組合せを指す。一例として、「ａ、ｂまたはｃのうちの少なくとも１つ」は、ａ、ｂ、ｃ、ａ−ｂ、ａ−ｃ、ｂ−ｃおよびａ−ｂ−ｃをカバーするものである。
【０１３６】
[00144]  本開示の前述の説明は、いかなる当業者でも本開示を作成または使用することができるように提供される。本開示への様々な修正は当業者には容易に明らかであり、本明細書で定義した一般原理は、本開示の趣旨または範囲から逸脱することなく他の変形形態に適用できる。したがって、本開示は、本明細書で説明する例および設計に限定されるものではなく、本明細書で開示する原理および新規の特徴に合致する最も広い範囲を与えられるべきである。
なお、本願の出願当初の請求項と同一の記載を以下に付記する。
［Ｃ１］ユーザ機器（ＵＥ）によるワイヤレス通信のための方法であって、
サービング基地局から、干渉基地局が別の局に対する干渉を低減しようとしてダウンリンク送信を制限する１つまたは複数の特別なダウンリンクサブフレームでダウンリンクリソースの割当てを受信することと、
前記サービング基地局から、前記特別なダウンリンクサブフレームに限定されない１つまたは複数のダウンリンクサブフレームでアップリンクリソースの割当てを受信することと、
前記サービング基地局に対して、前記割り当てられたアップリンクリソースを使用して送信することと
を備える方法。
［Ｃ２］前記１つまたは複数の特別なサブフレームは、前記干渉基地局が前記別の基地局に対する干渉を低減するためにダウンリンク送信を制限する１つまたは複数の特別なサブフレームを備える、Ｃ１に記載の方法。
［Ｃ３］前記干渉基地局が前記別の基地局に対する干渉を低減するために前記ダウンリンク送信を制限する前記１つまたは複数の特別なサブフレームは、オールモストブランクサブフレーム（ＡＢＳ）を備える、Ｃ２に記載の方法。
［Ｃ４］前記サービング基地局は、第１の電力クラスの基地局を備え、
前記干渉基地局は、第２の電力クラスの基地局を備える、Ｃ１に記載の方法。
［Ｃ５］前記サービング基地局は、ピコセル基地局を備え、
前記干渉基地局は、マクロセル基地局を備える、Ｃ４に記載の方法。
［Ｃ６］前記アップリンクリソースの前記割当てを受信することは、物理ダウンリンク制御チャネル（ＰＤＣＣＨ）でアップリンクリソースの前記割当てを受信することを含み、
前記方法は、前記ＰＤＣＣＨを復号するときに前記干渉基地局から送信された信号を消去するために干渉消去（ＩＣ）を実行することをさらに備える、Ｃ１に記載の方法。
［Ｃ７］前記物理ダウンリンク制御チャネル（ＰＤＣＣＨ）のためにＩＣを実行する前記ＵＥの能力を前記サービング基地局にシグナリングすること
をさらに備える、Ｃ６に記載の方法。
［Ｃ８］前記ＰＤＣＣＨ  ＩＣが実行された後に前記ＰＤＣＣＨのチャネル状態を前記サービング基地局に報告することをさらに備える、Ｃ７に記載の方法。
［Ｃ９］前記ＰＤＣＣＨ  ＩＣが実行された後に前記ＰＤＣＣＨの前記チャネル状態に基づいて、前記特別なサブフレームとは異なる前記ダウンリンクサブフレームのうちの１つまたは複数で１つまたは複数の無線リンク測定を実行することと、
前記１つまたは複数の無線リンク測定を前記サービング基地局に報告することと
をさらに備える、Ｃ７に記載の方法。
［Ｃ１０］前記サービング基地局から、前記干渉基地局が前記サービング基地局からのダウンリンク送信への干渉を低減するためにダウンリンク送信を制限する特別なダウンリンクサブフレームで前記アップリンクリソースの前記割当てを受信すること
をさらに備える、Ｃ１に記載の方法。
［Ｃ１１］前記割当ては、２つ以上のアップリンクサブフレームにわたって前記アップリンクリソースを割り当てる、Ｃ１０に記載の方法。
［Ｃ１２］前記割当ては、１つまたは複数のそれぞれの設定可能なオフセットによって前記特別なダウンリンクサブフレームからオフセットされた１つまたは複数のアップリンクサブフレームで前記アップリンクリソースを割り当てる、Ｃ１１に記載の方法。
［Ｃ１３］前記１つまたは複数のそれぞれの設定可能なオフセットは、前記割当てとともに伝えられる、Ｃ１２に記載の方法。
［Ｃ１４］前記干渉基地局からの送信への干渉を回避するように構成されたリソースを使用して、拡張物理ダウンリンク制御チャネル（Ｅ−ＰＤＣＣＨ）で前記アップリンクリソースの前記割当ては伝えられる、Ｃ１に記載の方法。
［Ｃ１５］基地局間の周波数領域リソース区分を使用して干渉を回避するように選択されたリソースを使用して、前記Ｅ−ＰＤＣＣＨは送信される、Ｃ１４に記載の方法。
［Ｃ１６］アップリンクリソースの前記割当てを受信することは、前記周波数領域で前記サービング基地局と干渉基地局との間で割り振られたダウンリンクリソースからの、前記サービング基地局のために割り振られたダウンリンクリソースを介してアップリンクリソースの前記割当てを受信することを含む、Ｃ１に記載の方法。
［Ｃ１７］前記周波数領域で前記サービング基地局と干渉基地局との間で割り振られた前記ダウンリンクリソースは、ＰＤＳＣＨのリソースを含み、
前記サービング基地局のために割り振られたダウンリンクリソースを介して前記アップリンクリソースの前記割当てを受信することは、前記サービング基地局のために割り振られたリソースを介してＥ−ＰＤＣＣＨでアップリンクリソースの前記割当てを受信することを含む、Ｃ１６に記載の方法。
［Ｃ１８］ワイヤレス通信のための装置であって、
サービング基地局から、干渉基地局が別の局に対する干渉を低減しようとしてダウンリンク送信を制限する１つまたは複数の特別なダウンリンクサブフレームでダウンリンクリソースの割当てを受信するための手段と、
前記サービング基地局から、前記特別なダウンリンクサブフレームに限定されない１つまたは複数のダウンリンクサブフレームでアップリンクリソースの割当てを受信するための手段と、
前記サービング基地局に対して、前記割り当てられたアップリンクリソースを使用して送信するための手段と
を備える装置。
［Ｃ１９］前記１つまたは複数の特別なサブフレームは、前記干渉基地局が前記別の基地局に対する干渉を低減するために前記ダウンリンク送信を制限するオールモストブランクサブフレーム（ＡＢＳ）を備える、Ｃ１８に記載の装置。
［Ｃ２０］ワイヤレス通信のための装置であって、
サービング基地局から、干渉基地局が別の局に対する干渉を低減しようとしてダウンリンク送信を制限する１つまたは複数の特別なダウンリンクサブフレームでダウンリンクリソースの割当てを受信することと、
前記サービング基地局から、前記特別なダウンリンクサブフレームに限定されない１つまたは複数のダウンリンクサブフレームでアップリンクリソースの割当てを受信することと、
前記サービング基地局に対して、前記割り当てられたアップリンクリソースを使用して送信することと
を行うように構成された少なくとも１つのプロセッサと、
前記少なくとも１つのプロセッサに結合されたメモリと
を備える装置。
［Ｃ２１］前記１つまたは複数の特別なサブフレームは、前記干渉基地局が前記別の基地局に対する干渉を低減するために前記ダウンリンク送信を制限するオールモストブランクサブフレーム（ＡＢＳ）を備える、Ｃ２０に記載の装置。
［Ｃ２２］ワイヤレス通信のためのコンピュータプログラム製品であって、
サービング基地局から、干渉基地局が別の局に対する干渉を低減しようとしてダウンリンク送信を制限する１つまたは複数の特別なダウンリンクサブフレームでダウンリンクリソースの割当てを受信することと、
前記サービング基地局から、前記特別なダウンリンクサブフレームに限定されない１つまたは複数のダウンリンクサブフレームでアップリンクリソースの割当てを受信することと、
前記サービング基地局に対して、前記割り当てられたアップリンクリソースを使用して送信することと
を行うための命令を備えるコンピュータ可読媒体を備えるコンピュータプログラム製品。
［Ｃ２３］前記１つまたは複数の特別なサブフレームは、前記干渉基地局が前記別の基地局に対する干渉を低減するために前記ダウンリンク送信を制限するオールモストブランクサブフレーム（ＡＢＳ）を備える、Ｃ２２に記載のコンピュータプログラム製品。
［Ｃ２４］サービング基地局によるワイヤレス通信のための方法であって、
前記サービング基地局から、干渉基地局が別の局に対する干渉を低減しようとしてダウンリンク送信を制限する１つまたは複数の特別なサブフレームでダウンリンクリソースの割当てを送信することと、
前記サービング基地局から、前記特別なダウンリンクサブフレームに限定されない１つまたは複数のダウンリンクサブフレームでアップリンクリソースの割当てを送信することと、
前記サービング基地局において、前記割り当てられたアップリンクリソースを使用して受信することと
を備える方法。
［Ｃ２５］前記１つまたは複数の特別なダウンリンクサブフレームは、前記干渉基地局が前記別の基地局に対する干渉を低減するために前記ダウンリンク送信を制限するオールモストブランクサブフレーム（ＡＢＳ）を備える、Ｃ２４に記載の方法。
［Ｃ２６］前記アップリンクリソースの前記割当ては、前記干渉基地局によってサービスされ、前記サービング基地局に対してアップリンク干渉を引き起こし得る１つまたは複数のユーザ機器に対してアップリンクリソースとして前記干渉基地局が割り当てることのない１つまたは複数のサブフレームを示すビットマップに基づく、Ｃ２４に記載の方法。
［Ｃ２７］前記サービング基地局は、第１の電力クラスの基地局を備え、
前記干渉基地局は、第２の電力クラスの基地局を備える、Ｃ２４に記載の方法。
［Ｃ２８］前記サービング基地局は、ピコセル基地局を備え、
前記干渉基地局は、マクロセル基地局を備える、Ｃ２７に記載の方法。
［Ｃ２９］前記アップリンクリソースの前記割当てを送信することは、物理ダウンリンク制御チャネル（ＰＤＣＣＨ）でアップリンクリソースの前記割当てを送信することを含み、
前記サービング基地局によってサービスされるユーザ機器（ＵＥ）は、前記ＰＤＣＣＨを復号するときに前記干渉基地局から送信された信号を消去するために干渉消去（ＩＣ）を実行する、Ｃ２４に記載の方法。
［Ｃ３０］前記サービング基地局において、前記物理ダウンリンク制御チャネル（ＰＤＣＣＨ）のためにＩＣを実行する前記ＵＥの能力のシグナリングを受信すること
をさらに備える、Ｃ２９に記載の方法。
［Ｃ３１］前記ＵＥによって前記ＰＤＣＣＨ  ＩＣが実行された後に前記ＰＤＣＣＨのチャネル状態に関する報告を前記ＵＥから受信することをさらに備える、Ｃ３０に記載の方法。
［Ｃ３２］前記ＵＥから１つまたは複数の無線リンク測定を受信することをさらに備え、前記ＵＥが、前記ＰＤＣＣＨ  ＩＣが実行された後に前記ＰＤＣＣＨの前記チャネル状態に基づいて、前記１つまたは複数の特別なサブフレームとは異なる前記ダウンリンクサブフレームのうちの１つまたは複数で前記１つまたは複数の無線リンク測定を実行する、Ｃ３０に記載の方法。
［Ｃ３３］前記干渉基地局が前記サービング基地局からのダウンリンク送信への干渉を低減するためにダウンリンク送信を制限する特別なダウンリンクサブフレームで前記アップリンクリソースの前記割当てを送信すること
をさらに備える、Ｃ２４に記載の方法。
［Ｃ３４］前記割当ては、２つ以上のアップリンクサブフレームにわたって前記アップリンクリソースを割り当てる、Ｃ３３に記載の方法。
［Ｃ３５］前記割当ては、１つまたは複数のそれぞれの設定可能なオフセットによって前記特別なダウンリンクサブフレームからオフセットされた１つまたは複数のアップリンクサブフレームで前記アップリンクリソースを割り当てる、Ｃ３４に記載の方法。
［Ｃ３６］前記１つまたは複数のそれぞれの設定可能なオフセットは、前記割当てとともに伝えられる、Ｃ３５に記載の方法。
［Ｃ３７］前記干渉基地局からの送信への干渉を回避するように構成されたリソースを使用して、拡張物理ダウンリンク制御チャネル（Ｅ−ＰＤＣＣＨ）で前記アップリンクリソースの前記割当ては伝えられる、Ｃ２４に記載の方法。
［Ｃ３８］基地局間の周波数領域リソース区分を使用して干渉を回避するように選択されたリソースを使用して、前記Ｅ−ＰＤＣＣＨは送信される、Ｃ３７に記載の方法。
［Ｃ３９］アップリンクリソースの前記割当てを送信することは、前記周波数領域で前記サービング基地局と干渉基地局との間で割り振られたダウンリンクリソースからの、前記サービング基地局のために割り振られたダウンリンクリソースを介してアップリンクリソースの前記割当てを送信することを含む、Ｃ２４に記載の方法。
［Ｃ４０］前記周波数領域で前記サービング基地局と干渉基地局との間で割り振られた前記ダウンリンクリソースは、ＰＤＳＣＨのリソースを含み、
前記サービング基地局のために割り振られたダウンリンクリソースを介してアップリンクリソースの前記割当てを送信することは、前記サービング基地局のために割り振られたリソースを介してＥ−ＰＤＣＣＨでアップリンクリソースの前記割当てを送信することを含む、Ｃ３９に記載の方法。
［Ｃ４１］前記サービング基地局によって、前記干渉基地局によってサービスされる１つまたは複数のユーザ機器（ＵＥ）を検出することであって、そのアップリンク（ＵＬ）送信が、前記サービング基地局によってサービスされる１つまたは複数の他のＵＥからのＵＬ送信に干渉し得る、ことと、
前記検出されたＵＥの指示を前記干渉基地局に送ることと
をさらに備える、Ｃ２４に記載の方法。
［Ｃ４２］前記干渉基地局によってサービスされる１つまたは複数のＵＥに関するサウンディング基準信号（ＳＲＳ）構成情報を受信すること
をさらに備える、Ｃ４１に記載の方法。
［Ｃ４３］前記１つまたは複数のＵＥを検出することは、前記ＳＲＳ構成情報に基づいて、前記１つまたは複数のＵＥから送信された基準信号（ＲＳ）を検出することを備える、Ｃ４２に記載の方法。
［Ｃ４４］前記１つまたは複数のＵＥを検出することは、前記１つまたは複数のＵＥから送信された基準信号（ＲＳ）を検出することを備える、Ｃ４１に記載の方法。
［Ｃ４５］前記指示は、前記干渉ＢＳとサービングＢＳとの間のバックホールリンクを介して送信される、Ｃ４４に記載の方法。
［Ｃ４６］前記干渉基地局から、前記１つまたは複数のＵＥによるアップリンク送信のために予約されたリソースの指示を受信すること
をさらに備える、Ｃ４１に記載の方法。
［Ｃ４７］前記サービング基地局と前記サービング基地局によってサービスされる前記１つまたは複数の他のＵＥとの間の通信のために、前記予約されたリソースを割り振らないこと
をさらに備える、Ｃ４６に記載の方法。
［Ｃ４８］前記予約されたリソースは、前記サービング基地局による使用のために割り振られたリソースから、時間領域または周波数領域のうちの少なくとも１つで区分されたリソースを備える、Ｃ４６に記載の方法。
［Ｃ４９］前記サービング基地局によってサービスされる１つまたは複数のＵＥからのロードの指示を前記干渉基地局に提供すること
をさらに備える、Ｃ４１に記載の方法。
［Ｃ５０］ワイヤレス通信のための装置であって、
サービング基地局から、干渉基地局が別の局に対する干渉を低減しようとしてダウンリンク送信を制限する１つまたは複数の特別なサブフレームでダウンリンクリソースの割当てを送信するための手段と、
前記サービング基地局から、前記特別なダウンリンクサブフレームに限定されない１つまたは複数のダウンリンクサブフレームでアップリンクリソースの割当てを送信するための手段と、
前記サービング基地局において、前記割り当てられたアップリンクリソースを使用して受信するための手段と
を備える装置。
［Ｃ５１］前記１つまたは複数の特別なサブフレームは、前記干渉基地局が前記別の基地局に対する干渉を低減するために前記ダウンリンク送信を制限するオールモストブランクサブフレーム（ＡＢＳ）を備える、Ｃ５０に記載の装置。
［Ｃ５２］ワイヤレス通信のための装置であって、
サービング基地局から、干渉基地局が別の局に対する干渉を低減しようとしてダウンリンク送信を制限する１つまたは複数の特別なサブフレームでダウンリンクリソースの割当てを送信することと、
前記サービング基地局から、前記特別なダウンリンクサブフレームに限定されない１つまたは複数のダウンリンクサブフレームでアップリンクリソースの割当てを送信することと、
前記サービング基地局において、前記割り当てられたアップリンクリソースを使用して受信することと
を行うように構成された少なくとも１つのプロセッサと、
前記少なくとも１つのプロセッサに結合されたメモリと
を備える装置。
［Ｃ５３］前記１つまたは複数の特別なサブフレームは、前記干渉基地局が前記別の基地局に対する干渉を低減するために前記ダウンリンク送信を制限するオールモストブランクサブフレーム（ＡＢＳ）を備える、Ｃ５２に記載の装置。
［Ｃ５４］ワイヤレス通信のためのコンピュータプログラム製品であって、
サービング基地局から、干渉基地局が別の局に対する干渉を低減しようとしてダウンリンク送信を制限する１つまたは複数の特別なサブフレームでダウンリンクリソースの割当てを送信することと、
前記サービング基地局から、前記特別なダウンリンクサブフレームに限定されない１つまたは複数のダウンリンクサブフレームでアップリンクリソースの割当てを送信することと、
前記サービング基地局において、前記割り当てられたアップリンクリソースを使用して受信することと
を行うための命令を備えるコンピュータ可読媒体を備えるコンピュータプログラム製品。
［Ｃ５５］前記１つまたは複数の特別なサブフレームは、前記干渉基地局が前記別の基地局に対する干渉を低減するために前記ダウンリンク送信を制限するオールモストブランクサブフレーム（ＡＢＳ）を備える、Ｃ５４に記載のコンピュータプログラム製品。
［Ｃ５６］干渉基地局による方法であって、
干渉基地局（ＢＳ）によってサービスされる１つまたは複数のユーザ機器（ＵＥ）のセットを識別することであって、そのアップリンク（ＵＬ）送信が、サービングＢＳによってサービスされる１つまたは複数の他のＵＥからのＵＬ送信に干渉し得る、ことと、
１つまたは複数のＵＥの前記セットによる使用のためにリソースセットを予約することと、
前記予約されたリソースセットを前記サービングＢＳに通信することと
を備える方法。
［Ｃ５７］１つまたは複数のＵＥの前記セットに関するサウンディング基準信号（ＳＲＳ）構成情報を前記サービングＢＳに送信すること
をさらに備える、Ｃ５６に記載の方法。
［Ｃ５８］１つまたは複数のＵＥの前記セットを識別することは、
前記サービングＢＳから、前記干渉ＢＳによってサービスされ、前記ＳＲＳ構成情報に基づいて前記サービングＢＳによって検出されたＵＥを示す報告を受信すること
を備える、Ｃ５７に記載の方法。
［Ｃ５９］１つまたは複数のＵＥの前記セットを識別することは、
前記サービングＢＳから、前記干渉ＢＳによってサービスされ、前記サービングＢＳによって検出されたＵＥを示す報告を受信すること
を備える、Ｃ５６に記載の方法。
［Ｃ６０］前記報告は、前記サービングＢＳがアップリンク基準信号（ＲＳ）を検出したＵＥを示す、Ｃ５９に記載の方法。
［Ｃ６１］前記予約されたリソースセットを前記サービングＢＳに通信することは、バックホールリンクを介して実行される、Ｃ５９に記載の方法。
［Ｃ６２］前記予約されたリソースセットを前記サービングＢＳに通信することは、バックホールリンクを介して実行される、Ｃ５６に記載の方法。
［Ｃ６３］１つまたは複数のＵＥの前記識別されたセットは、前記サービングＢＳを検出することが可能ではない第１のタイプのＵＥを備える、Ｃ５６に記載の方法。
［Ｃ６４］１つまたは複数のＵＥの前記識別されたセットは、前記サービングＢＳに近接したＵＥを備える、Ｃ５６に記載の方法。
［Ｃ６５］前記サービングＢＳに近接した前記ＵＥは、前記干渉ＢＳに送信された報告で前記サービングＢＳを示しており、
前記干渉ＢＳは、前記サービングＢＳに前記ＵＥをハンドオーバしていない、Ｃ６４に記載の方法。
［Ｃ６６］前記リソースセットを予約することは、時間領域または周波数領域のうちの少なくとも１つでリソースを区分することを備える、Ｃ５６に記載の方法。
［Ｃ６７］前記リソースセットを予約することは、
前記サービングＢＳによって検出された１つまたは複数のＵＥによる使用のためにリソースの量を決定すること
を備える、Ｃ５９に記載の方法。
［Ｃ６８］リソースの前記量を決定することは、前記サービングＢＳによってサービスされる１つまたは複数のＵＥからのロードまたは前記干渉ＢＳによってサービスされ、前記サービングＢＳによって検出された前記ＵＥからのロードのうちの少なくとも１つに基づいて、リソースの前記量を決定することを備える、Ｃ６７に記載の方法。
［Ｃ６９］前記サービングＢＳから、前記１つまたは複数の他のＵＥに関するアップリンクローディング情報を受信することをさらに備える、Ｃ５６に記載の方法。
［Ｃ７０］リソースの前記量を決定することは、干渉ＢＳによってサービスされる１つまたは複数のユーザ機器（ＵＥ）の前記セットに関するアップリンクローディング情報または前記１つまたは複数の他のＵＥに関するアップリンクローディング情報のうちの少なくとも１つに基づいて、リソースの前記量を決定することを含む、Ｃ６９に記載の方法。
［Ｃ７１］前記干渉ＢＳと前記干渉ＢＳによってサービスされる１つまたは複数のＵＥの前記セットとの間の通信のために、前記予約されたリソースセットを割り振ることをさらに備える、Ｃ５６に記載の方法。
［Ｃ７２］ワイヤレス通信のための装置であって、
干渉基地局（ＢＳ）によってサービスされる１つまたは複数のユーザ機器（ＵＥ）のセットを識別するための手段であって、そのアップリンク（ＵＬ）送信が、サービングＢＳによってサービスされる１つまたは複数の他のＵＥからのＵＬ送信に干渉し得る、手段と、
１つまたは複数のＵＥの前記セットによる使用のためにリソースセットを予約するための手段と、
前記予約されたリソースセットを前記サービングＢＳに通信するための手段と
を備える装置。
［Ｃ７３］１つまたは複数のＵＥの前記セットに関するサウンディング基準信号（ＳＲＳ）構成情報を前記サービングＢＳに送信するための手段と
をさらに備える、Ｃ７２に記載の装置。
［Ｃ７４］ワイヤレス通信のための装置であって、
干渉基地局（ＢＳ）によってサービスされる１つまたは複数のユーザ機器（ＵＥ）のセットを識別することであって、そのアップリンク（ＵＬ）送信が、サービングＢＳによってサービスされる１つまたは複数の他のＵＥからのＵＬ送信に干渉し得る、ことと、
１つまたは複数のＵＥの前記セットによる使用のためにリソースセットを予約することと、
前記予約されたリソースセットを前記サービングＢＳに通信することと
を行うように構成された少なくとも１つのプロセッサと、
前記少なくとも１つのプロセッサに結合されたメモリと
を備える装置。
［Ｃ７５］前記少なくとも１つのプロセッサは、
１つまたは複数のＵＥの前記セットに関するサウンディング基準信号（ＳＲＳ）構成情報を前記サービングＢＳに送信する
ようにさらに構成される、Ｃ７４に記載の装置。
［Ｃ７６］ワイヤレス通信のためのコンピュータプログラム製品であって、
干渉基地局（ＢＳ）によってサービスされる１つまたは複数のユーザ機器（ＵＥ）のセットを識別することであって、そのアップリンク（ＵＬ）送信が、サービングＢＳによってサービスされる１つまたは複数の他のＵＥからのＵＬ送信に干渉し得る、ことと、
１つまたは複数のＵＥの前記セットによる使用のためにリソースセットを予約することと、
前記予約されたリソースセットを前記サービングＢＳに通信することと
を行うための命令を備えるコンピュータ可読媒体を備えるコンピュータプログラム製品。
［Ｃ７７］１つまたは複数のＵＥの前記セットに関するサウンディング基準信号（ＳＲＳ）構成情報を前記サービングＢＳに送信するための命令をさらに備える、Ｃ７６に記載のコンピュータプログラム製品。
［Ｃ７８］サービング基地局（ＢＳ）によるワイヤレス通信のための方法であって、
干渉ＢＳによってサービスされる１つまたは複数のユーザ機器（ＵＥ）を検出することであって、そのアップリンク（ＵＬ）送信が、前記サービングＢＳによってサービスされる１つまたは複数の他のＵＥからのＵＬ送信に干渉し得る、ことと、
前記検出された１つまたは複数のＵＥの指示を前記干渉ＢＳに送ることと、
前記干渉ＢＳから、前記干渉ＢＳによってサービスされる前記１つまたは複数のＵＥによるＵＬ送信のために予約されたリソースの指示を受信することと
を備える方法。
［Ｃ７９］前記サービングＢＳと前記サービングＢＳによってサービスされる前記１つまたは複数のＵＥとの間の通信のために、前記予約されたリソースを割り振らないことをさらに備える、Ｃ７８に記載の方法。
［Ｃ８０］前記予約されたリソースは、前記サービング基地局による使用のために割り振られたリソースから、時間領域または周波数領域のうちの少なくとも１つで区分されたリソースを備える、Ｃ７８に記載の方法。
［Ｃ８１］前記サービングＢＳによってサービスされる前記１つまたは複数のＵＥからのロードの指示を前記干渉ＢＳに提供すること
をさらに備える、Ｃ７８に記載の方法。
［Ｃ８２］ワイヤレス通信のための装置であって、
干渉ＢＳによってサービスされる１つまたは複数のユーザ機器（ＵＥ）を検出するための手段であって、そのアップリンク（ＵＬ）送信が、サービングＢＳによってサービスされる１つまたは複数の他のＵＥからのＵＬ送信に干渉し得る、手段と、
前記検出された１つまたは複数のＵＥの指示を前記干渉ＢＳに送るための手段と、
前記干渉ＢＳから、前記干渉ＢＳによってサービスされる前記１つまたは複数のＵＥによるＵＬ送信のために予約されたリソースの指示を受信するための手段と
を備える装置。
［Ｃ８３］前記サービングＢＳと前記サービングＢＳによってサービスされる前記１つまたは複数のＵＥとの間の通信のために、前記予約されたリソースを割り振らないための手段をさらに備える、Ｃ８２に記載の装置。
［Ｃ８４］ワイヤレス通信のための装置であって、
干渉ＢＳによってサービスされる１つまたは複数のユーザ機器（ＵＥ）を検出することであって、そのアップリンク（ＵＬ）送信が、サービングＢＳによってサービスされる１つまたは複数の他のＵＥからのＵＬ送信に干渉し得る、ことと、
前記検出された１つまたは複数のＵＥの指示を前記干渉ＢＳに送ることと、
前記干渉ＢＳから、前記干渉ＢＳによってサービスされる前記１つまたは複数のＵＥによるＵＬ送信のために予約されたリソースの指示を受信することと
を行うように構成された少なくとも１つのプロセッサと、
前記少なくとも１つのプロセッサに結合されたメモリと
を備える装置。
［Ｃ８５］前記少なくとも１つのプロセッサは、前記サービングＢＳと前記サービングＢＳによってサービスされる前記１つまたは複数のＵＥとの間の通信のために、前記予約されたリソースを割り振らないようにさらに構成される、Ｃ８４に記載の装置。
［Ｃ８６］ワイヤレス通信のためのコンピュータプログラム製品であって、
干渉ＢＳによってサービスされる１つまたは複数のユーザ機器（ＵＥ）を検出することであって、そのアップリンク（ＵＬ）送信が、サービングＢＳによってサービスされる１つまたは複数の他のＵＥからのＵＬ送信に干渉し得る、ことと、
前記検出された１つまたは複数のＵＥの指示を前記干渉ＢＳに送ることと、
前記干渉ＢＳから、前記干渉ＢＳによってサービスされる前記１つまたは複数のＵＥによるＵＬ送信のために予約されたリソースの指示を受信することと
を行うための命令を備えるコンピュータ可読媒体を備えるコンピュータプログラム製品。
［Ｃ８７］前記サービングＢＳと前記サービングＢＳによってサービスされる前記１つまたは複数のＵＥとの間の通信のために、前記予約されたリソースを割り振らないための命令をさらに備える、Ｃ８６に記載のコンピュータプログラム製品。
［Ｃ８８］ワイヤレス通信のための方法であって、
サービング基地局から、アップリンクリソースの割当てを受信することであって、前記割り当てられたアップリンクリソースが、干渉基地局が別の局に対する干渉を低減しようとしてダウンリンク送信を制限する特別なサブフレームに対する固定時間オフセットを有するリソースに限定されない、ことと、
前記サービング基地局に対して、前記割り当てられたアップリンクリソースを使用して送信することと
を備える方法。
［Ｃ８９］前記特別なサブフレームは、前記干渉基地局が別の基地局に対する干渉を低減するためにそれのダウンリンク送信を制限するオールモストブランクサブフレーム（ＡＢＳ）を備える、Ｃ８８に記載の方法。
［Ｃ９０］アップリンクリソースの前記割当ては、前記干渉基地局によってサービスされ、前記被干渉基地局に対してアップリンク干渉を引き起こし得る１つまたは複数のユーザ機器に対してアップリンクリソースとして前記干渉基地局が割り当てることのない１つまたは複数のサブフレームを示すビットマップに基づく、Ｃ８８に記載の方法。
［Ｃ９１］前記サービング基地局は、第１の電力クラスの基地局を備え、
前記干渉基地局は、第２の電力クラスの基地局を備える、Ｃ８８に記載の方法。
［Ｃ９２］前記サービング基地局は、ピコセル基地局を備え、
前記干渉基地局は、マクロセル基地局を備える、Ｃ９１に記載の方法。
［Ｃ９３］アップリンクリソースの前記割当てを受信することは、物理ダウンリンク制御チャネル（ＰＤＣＣＨ）でアップリンクリソースの前記割当てを受信することを含み、
前記方法は、前記ＰＤＣＣＨを復号するときに前記干渉基地局から送信された信号を消去するために干渉消去（ＩＣ）を実行することをさらに備える、Ｃ８８に記載の方法。
［Ｃ９４］物理ダウンリンク制御チャネル（ＰＤＣＣＨ）のためにＩＣを実行する前記ＵＥの能力を前記サービング基地局にシグナリングすること
をさらに備える、Ｃ９３に記載の方法。
［Ｃ９５］前記ＰＤＣＣＨ  ＩＣが実行された後に前記ＰＤＣＣＨのチャネル状態を前記サービング基地局に報告することをさらに備える、Ｃ９４に記載の方法。
［Ｃ９６］前記ＰＤＣＣＨ  ＩＣが実行された後に前記ＰＤＣＣＨの前記チャネル状態に基づいて、前記サービング基地局の１つまたは複数の特別ではないサブフレームで１つまたは複数の無線リンク測定を実行することと、
前記１つまたは複数の無線リンク測定を前記サービング基地局に報告することと
をさらに備える、Ｃ９４に記載の方法。
［Ｃ９７］前記割当てを受信することは、前記干渉基地局が前記サービング基地局からの送信への干渉を低減するために送信を制限する特別なサブフレームで前記割当てを受信することを含む、Ｃ８８に記載の方法。
［Ｃ９８］前記割当ては、２つ以上のアップリンクサブフレームにわたってアップリンクリソースを割り当てる、Ｃ９７に記載の方法。
［Ｃ９９］前記割当ては、１つまたは複数のそれぞれの設定可能なオフセットによって前記特別なサブフレームからオフセットされた１つまたは複数のサブフレームでアップリンクリソースを割り当てる、Ｃ９７に記載の方法。
［Ｃ１００］前記１つまたは複数のそれぞれの設定可能なオフセットは、前記割当てとともに伝えられる、Ｃ９９に記載の方法。
［Ｃ１０１］前記干渉基地局からの送信への干渉を回避するように構成されたリソースを使用して、拡張物理ダウンリンク制御チャネル（Ｅ−ＰＤＣＣＨ）でアップリンクリソースの前記割当ては伝えられる、Ｃ８８に記載の方法。
［Ｃ１０２］基地局間の周波数領域リソース区分を使用して干渉を回避するように選択されたリソースを使用して、前記Ｅ−ＰＤＣＣＨは送信される、Ｃ１０１に記載の方法。
［Ｃ１０３］前記周波数領域で前記サービング基地局と干渉基地局との間でダウンリンクリソースを割り振ることをさらに備え、
アップリンクリソースの前記割当てを受信することは、前記サービング基地局のために割り振られたダウンリンクリソースを介してアップリンクリソースの前記割当てを受信することを含む、Ｃ８８に記載の方法。
［Ｃ１０４］
ダウンリンクリソースを割り振ることは、ＰＤＳＣＨのリソースを割り振ることを含み、
前記サービング基地局のために割り振られたダウンリンクリソースを介してアップリンクリソースの前記割当てを受信することは、前記サービング基地局のために割り振られたリソースを介してＥ−ＰＤＣＣＨでアップリンクリソースの前記割当てを受信することを含む、Ｃ１０３に記載の方法。
［Ｃ１０５］ワイヤレス通信のための装置であって、
サービング基地局から、アップリンクリソースの割当てを受信するための手段であって、前記割り当てられたアップリンクリソースが、干渉基地局が別の局に対する干渉を低減しようとしてダウンリンク送信を制限する特別なサブフレームに対する固定時間オフセットを有するリソースに限定されない、手段と、
前記サービング基地局に対して、前記割り当てられたアップリンクリソースを使用して送信するための手段と
を備える装置。
［Ｃ１０６］前記特別なサブフレームは、前記干渉基地局が別の基地局に対する干渉を低減するためにそれのダウンリンク送信を制限するオールモストブランクサブフレーム（ＡＢＳ）を備える、Ｃ１０５に記載の装置。
［Ｃ１０７］ワイヤレス通信のための装置であって、
サービング基地局から、アップリンクリソースの割当てを受信することであって、前記割り当てられたアップリンクリソースが、干渉基地局が別の局に対する干渉を低減しようとしてダウンリンク送信を制限する特別なサブフレームに対する固定時間オフセットを有するリソースに限定されない、ことと、
前記サービング基地局に対して、前記割り当てられたアップリンクリソースを使用して送信することと
を行うように構成された少なくとも１つのプロセッサと、
前記少なくとも１つのプロセッサに結合されたメモリと
を備える装置。
［Ｃ１０８］前記特別なサブフレームは、前記干渉基地局が別の基地局に対する干渉を低減するためにそれのダウンリンク送信を制限するオールモストブランクサブフレーム（ＡＢＳ）を備える、Ｃ１０７に記載の装置。
［Ｃ１０９］ワイヤレス通信のためのコンピュータプログラム製品であって、
サービング基地局から、アップリンクリソースの割当てを受信することであって、前記割り当てられたアップリンクリソースが、干渉基地局が別の局に対する干渉を低減しようとしてダウンリンク送信を制限する特別なサブフレームに対する固定時間オフセットを有するリソースに限定されない、ことと、
前記サービング基地局に対して、前記割り当てられたアップリンクリソースを使用して送信することと
を行うためのコードを備えるコンピュータ可読媒体を備えるコンピュータプログラム製品。
［Ｃ１１０］前記特別なサブフレームは、前記干渉基地局が別の基地局に対する干渉を低減するためにそれのダウンリンク送信を制限するオールモストブランクサブフレーム（ＡＢＳ）を備える、Ｃ１０９に記載のコンピュータプログラム製品。
［Ｃ１１１］ワイヤレス通信のための方法であって、
サービング基地局から、アップリンクリソースの割当てを送信することであって、前記割り当てられたアップリンクリソースが、干渉基地局が別の局に対する干渉を低減しようとしてダウンリンク送信を制限する特別なサブフレームに対する固定時間オフセットを有するリソースに限定されない、ことと、
前記サービング基地局において、前記割り当てられたアップリンクリソースを使用して受信することと
を備える方法。
［Ｃ１１２］前記特別なサブフレームは、前記干渉基地局が別の基地局に対する干渉を低減するためにそれのダウンリンク送信を制限するオールモストブランクサブフレーム（ＡＢＳ）を備える、Ｃ１１１に記載の方法。
［Ｃ１１３］アップリンクリソースの前記割当ては、前記干渉基地局によってサービスされ、前記被干渉基地局に対してアップリンク干渉を引き起こし得る１つまたは複数のユーザ機器に対してアップリンクリソースとして前記干渉基地局が割り当てることのない１つまたは複数のサブフレームを示すビットマップに基づく、Ｃ１１１に記載の方法。
［Ｃ１１４］前記サービング基地局は、第１の電力クラスの基地局を備え、
前記干渉基地局は、第２の電力クラスの基地局を備える、Ｃ１１１に記載の方法。
［Ｃ１１５］前記サービング基地局は、ピコセル基地局を備え、
前記干渉基地局は、マクロセル基地局を備える、Ｃ１１４に記載の方法。
［Ｃ１１６］アップリンクリソースの前記割当てを送信することは、物理ダウンリンク制御チャネル（ＰＤＣＣＨ）でアップリンクリソースの前記割当てを送信することを含み、
ユーザ機器（ＵＥ）は、前記ＰＤＣＣＨを復号するときに前記干渉基地局から送信された信号を消去するために干渉消去（ＩＣ）を実行する、Ｃ１１１に記載の方法。
［Ｃ１１７］前記サービング基地局において、物理ダウンリンク制御チャネル（ＰＤＣＣＨ）のためにＩＣを実行する前記ＵＥの能力のシグナリングを受信すること
をさらに備える、Ｃ１１６に記載の方法。
［Ｃ１１８］前記ＵＥによって前記ＰＤＣＣＨ  ＩＣが実行された後に前記ＰＤＣＣＨのチャネル状態に関する報告を前記ＵＥから受信することをさらに備える、Ｃ１１７に記載の方法。
［Ｃ１１９］前記ＵＥから１つまたは複数の無線リンク測定を受信することをさらに備え、前記ＵＥが、前記ＰＤＣＣＨ  ＩＣが実行された後に前記ＰＤＣＣＨの前記チャネル状態に基づいて、前記サービング基地局の１つまたは複数の特別ではないサブフレームで１つまたは複数の無線リンク測定を実行する、Ｃ１１７に記載の方法。
［Ｃ１２０］前記割当てを送信することは、前記干渉基地局が前記サービング基地局からの送信への干渉を低減するために送信を制限する特別なサブフレームで前記割当てを送信することを含む、Ｃ１１１に記載の方法。
［Ｃ１２１］前記割当ては、２つ以上のアップリンクサブフレームにわたってアップリンクリソースを割り当てる、Ｃ１２０に記載の方法。
［Ｃ１２２］前記割当ては、１つまたは複数のそれぞれの設定可能なオフセットによって前記特別なサブフレームからオフセットされた１つまたは複数のサブフレームでアップリンクリソースを割り当てる、Ｃ１２０に記載の方法。
［Ｃ１２３］前記１つまたは複数のそれぞれの設定可能なオフセットは、前記割当てとともに伝えられる、Ｃ１２２に記載の方法。
［Ｃ１２４］前記干渉基地局からの送信への干渉を回避するように構成されたリソースを使用して、拡張物理ダウンリンク制御チャネル（Ｅ−ＰＤＣＣＨ）でアップリンクリソースの前記割当ては伝えられる、Ｃ１１１に記載の方法。
［Ｃ１２５］基地局間の周波数領域リソース区分を使用して干渉を回避するように選択されたリソースを使用して、前記Ｅ−ＰＤＣＣＨは送信される、Ｃ１２４に記載の方法。
［Ｃ１２６］前記周波数領域で前記サービング基地局と干渉基地局との間でダウンリンクリソースを割り振ることをさらに備え、
アップリンクリソースの前記割当てを送信することは、前記サービング基地局のために割り振られたダウンリンクリソースを介してアップリンクリソースの前記割当てを送信することを含む、Ｃ１１１に記載の方法。
［Ｃ１２７］ダウンリンクリソースを割り振ることは、ＰＤＳＣＨのリソースを割り振ることを含み、
前記サービング基地局のために割り振られたダウンリンクリソースを介してアップリンクリソースの前記割当てを送信することは、前記サービング基地局のために割り振られたリソースを介してＥ−ＰＤＣＣＨでアップリンクリソースの前記割当てを送信することを含む、Ｃ１１１に記載の方法。
［Ｃ１２８］ワイヤレス通信のための装置であって、
サービング基地局から、アップリンクリソースの割当てを送信するための手段であって、前記割り当てられたアップリンクリソースが、干渉基地局が別の局に対する干渉を低減しようとしてダウンリンク送信を制限する特別なサブフレームに対する固定時間オフセットを有するリソースに限定されない、手段と、
前記サービング基地局において、前記割り当てられたアップリンクリソースを使用して受信するための手段と
を備える装置。
［Ｃ１２９］前記特別なサブフレームは、前記干渉基地局が別の基地局に対する干渉を低減するためにそれのダウンリンク送信を制限するオールモストブランクサブフレーム（ＡＢＳ）を備える、Ｃ１２８に記載の装置。
［Ｃ１３０］ワイヤレス通信のための装置であって、
サービング基地局から、アップリンクリソースの割当てを送信することであって、前記割り当てられたアップリンクリソースが、干渉基地局が別の局に対する干渉を低減しようとしてダウンリンク送信を制限する特別なサブフレームに対する固定時間オフセットを有するリソースに限定されない、ことと、
前記サービング基地局において、前記割り当てられたアップリンクリソースを使用して受信することと
を行うように構成された少なくとも１つのプロセッサと、
前記少なくとも１つのプロセッサに結合されたメモリと
を備える装置。
［Ｃ１３１］前記特別なサブフレームは、前記干渉基地局が別の基地局に対する干渉を低減するためにそれのダウンリンク送信を制限するオールモストブランクサブフレーム（ＡＢＳ）を備える、Ｃ１３０に記載の装置。
［Ｃ１３２］ワイヤレス通信のためのコンピュータプログラム製品であって、
サービング基地局から、アップリンクリソースの割当てを送信することであって、前記割り当てられたアップリンクリソースが、干渉基地局が別の局に対する干渉を低減しようとしてダウンリンク送信を制限する特別なサブフレームに対する固定時間オフセットを有するリソースに限定されない、ことと、
前記サービング基地局において、前記割り当てられたアップリンクリソースを使用して受信することと
を行うためのコードを備えるコンピュータ可読媒体を備えるコンピュータプログラム製品。
［Ｃ１３３］前記特別なサブフレームは、前記干渉基地局が別の基地局に対する干渉を低減するためにそれのダウンリンク送信を制限するオールモストブランクサブフレーム（ＡＢＳ）を備える、Ｃ１３２に記載のコンピュータ可読媒体。
【図１】
0005985649.tif 000002
【図２】
0005985649.tif 000003
【図２Ａ】
0005985649.tif 000004
【図３】
0005985649.tif 000005
【図４】
0005985649.tif 000006
【図５】
0005985649.tif 000007
【図６】
0005985649.tif 000008
【図７】
0005985649.tif 000009
【図８】
0005985649.tif 000010
【図９】
0005985649.tif 000011
【図１０】
0005985649.tif 000012
【図１１】
0005985649.tif 000013
【図１２】
0005985649.tif 000014
【図１３】
0005985649.tif 000015
【図１４】
0005985649.tif 000016
【図１５】
0005985649.tif 000017